(57)【要約】【課題】  ヒト被験者における骨コラーゲン分解活性の検定法。【解決手段】  本法においては、ヒト尿サンプルを、(i) 生来の遊離のピリジノリン及び生来の遊離のデオキシピリジノリンから成る群から選ばれたピリジニウム架橋と免疫特異的に反応させることができ、そして(ii)約5:1 を超える、その選ばれたピリジニウム架橋に対する反応性と、分子量において1,000 ダルトンを上回る尿中ピリジニウム・ペプチドに対する反応性との比をもつ、モノクロナール抗体と反応させる。免疫複合体は、上記抗体試薬とそのサンプル中に存在する上記の選ばれたピリジニウム架橋との間に形成され、そしてその免疫複合体の量が測定可能である。本法において使用されることができる抗体試薬及びキットについても開示する。【選択図】      なし【特許請求の範囲】
【請求項１】
担体に結合されることができる加水分解されたピリジノリン又は加水分解されたデオキシピリジノリンにより動物を免疫化することにより製造されたモノクローナル抗体であって：
天然の遊離ピリジノリン及び／又は天然の遊離デオキシピリジノリンから選ばれるピリジニウム架橋への免疫特異的な結合、及び
約３：１より大きな、上記の選ばれた天然の遊離ピリジニウム架橋と分子量 1,000ダルトン超の尿ピリジニウム・ペプチドとに対する反応性の比、
を特徴とする前記抗体。
【請求項２】
約５：１より大きな、天然の遊離ピリジノリンと天然デオキシピリジノリンとに対する反応性の比を有する、請求項１に記載のモノクローナル抗体。
【請求項３】
ATCC No.HB 11089により識別される細胞系から得られた、請求項２に記載のモノクローナル抗体。
【請求項４】
約25：１より大きな、天然の遊離デオキシピリジノリンと天然の遊離ピリジノリンとに対する反応性の比を有する、請求項１に記載のモノクローナル抗体。
【請求項５】
約２：１〜１：２の間の、天然の遊離ピリジノリンと天然の遊離デオキシピリジノリンとに対する反応性の比を有する、請求項１に記載のモノクローナル抗体。
【請求項６】
担体に結合されることができる加水分解されたピリジノリン又は加水分解されたデオキシピリジノリンにより動物を免疫化することにより製造されたポリクローナル抗体（抗血清）であって：
天然の遊離ピリジノリン及び／又は天然の遊離デオキシピリジノリンから選ばれるピリジニウム架橋への免疫特異的な結合、及び
約３：１より大きな、上記の選ばれた天然の遊離ピリジニウム架橋と分子量 1,000ダルトン超の尿ピリジニウム・ペプチドとに対する抗血清反応性比、
を特徴とする前記抗体。
【請求項７】
約５：１より大きな、天然の遊離ピリジノリンと天然デオキシピリジノリンとに対する抗血清反応性比を有する、請求項６に記載のポリクローナル抗体。
【請求項８】
約25：１より大きな、天然の遊離デオキシピリジノリンと天然の遊離ピリジノリンとに対する抗血清反応性比を有する、請求項６に記載のポリクローナル抗体。
【請求項９】
約２：１〜１：２の間の、天然の遊離ピリジノリンと天然の遊離デオキシピリジノリンとに対する抗血清反応性比を有する、請求項６に記載のポリクローナル抗体。
【請求項１０】
ヒト患者における骨コラーゲン分解レベルのアッセイにおいて使用する診断キットであって、
請求項１〜９のいずれか１項に記載の抗体、及び
上記抗体と前記遊離ピリジニウム架橋との反応により形成される免疫複合体の量を検出するための検出手段、
を含む前記キット。
【請求項１１】
前記抗体への結合についてサンプル中に存在する前記遊離ピリジニウム架橋と競合するために有効な表面付着遊離ピリジニウム架橋を有する固相支持体をさらに含み、そして前記抗体が、リポーターで標識された又はリポーターで標識されうる抗体である、請求項10に記載のキット。
【請求項１２】
前記抗体が付着された固相支持体、及び上記支持体上の前記抗体への結合について、前記サンプル中に存在する前記遊離ピリジニウム架橋と競合するために有効である、リポーター標識された又はリポーター標識されうる遊離ピリジニウム架橋をさらに含む、請求項10に記載のキット。
【請求項１３】
前記検出手段が、前記の形成された免疫複合体の量に正比例する比色計測シグナルを生成するために有効なリポーター酵素を含む、請求項10に記載のキット。
【請求項１４】
前記検出手段が、前記の選ばれたピリジニウム架橋で標識された酵素を含み；上記標識された酵素への前記抗体の結合が上記標識された酵素の触媒活性の低下を引き起こす場合、上記標識された酵素は、前記抗体への結合について、サンプル中に存在する前記遊離ピリジニウム架橋と競合するために有効である、請求項10に記載のキット。
【請求項１５】
サンプル濾過のための、ニトロセルロース、Immobilon（商標）-CD、及びImmobilon（商標）-PSQ から成る群から選ばれるフィルター膜をさらに含む、請求項10〜14のいずれか１項に記載のキット。
【請求項１６】
ヒト患者における骨コラーゲン分解レベルのアッセイ方法であって：
加水分解されていないヒト尿サンプルを、請求項１〜９のいずれか１項に記載の抗体と反応させ；
上記反応により、上記抗体と、上記サンプル中に存在する前記の選ばれたピリジニウム架橋との間に免疫複合体を形成させ；そして
上記の形成された免疫複合体の量から、上記サンプル中の前記の選ばれたピリジニウム架橋のレベルを測定する、
ことを含み、ここで、正常患者に特徴的なレベルを上廻る測定されたレベルが、上記患者における骨コラーゲン分解レベルの上昇率の存在を示す、前記方法。
【請求項１７】
前記抗体が、約５：１より大きな、天然の遊離ピリジノリンと天然の遊離デオキシピリジノリンとに対する反応性の比を有する、請求項16に記載の方法。
【請求項１８】
計測される天然の遊離ピリジノリンのレベルが、約 0.3〜0.5 の勾配をもつ線形関係により、前記サンプル中の合計加水分解ピリジノリン濃度に関係する、請求項16に記載の方法。
【請求項１９】
前記抗体が、約25：１より大きな、天然の遊離デオキシピリジノリンと天然の遊離ピリジノリンとに対する反応性の比を有する、請求項16に記載の方法。
【請求項２０】
前記抗体が、約２：１〜１：２の間の、天然の遊離ピリジノリンと天然の遊離デオキシピリジノリンとに対する反応性の比を有する、請求項16に記載の方法。
【請求項２１】
前記サンプル中の前記の選択されるピリジニウム架橋との競合に関する反応が、前記尿サンプルを、表面に付着されたペプチド不含ピリジノリン又はデオキシピリジノリンを有する固相支持体と接触させることを含む、請求項16〜20のいずれか１項に記載の方法。
【請求項２２】
前記反応が、前記尿サンプルを、請求項１又は請求項６に記載の表面に付着された抗体を有する固相支持体と接触させることを含む、請求項16〜20のいずれか１項に記載の方法。
【請求項２３】
前記反応に先立って、前記サンプルが、ニトロセルロース、Immobilon（商標）-CD、及びImmobilon（商標）-PSQから成る群から選ばれるフィルター膜を通して濾過され、ここで、上記膜は、抗体に非特異的に結合する物質を除去するために有効であるが、前記サンプル中の前記天然の遊離ピリジニウム架橋の実質的に全てが通過することを許容する、請求項16〜22のいずれか１項に記載の方法。
【発明の詳細な説明】
【技術分野】
【０００１】
1.発明の分野
本発明は、ヒト尿サンプル中の生体の遊離のピリジニウム架橋(pyridinium crosslink)のレベルを測定するための方法に、並びにその方法における使用のための抗体試薬及びキットに関する。
【背景技術】
【０００２】
2.文献
Black, D., et al., Anal. Biochem. 169: 197-203 (1988).
Black, D., et al., Annals of Rheumatic Diseases 48: 641-644 (1989).
Brown, J.P., et al., Lancet 1091-1093 (1984).
Cook, J., et al., Ann. Clin. Biochem. 12: 219 (1975).
Daniloff, Y., et al., Connect. Tissue. Res. 27: 187 (1992).
Eyre, D.R., et al., Anal. Biochem. 137: 380-388 (1984).
Eyre, D.R., et al., FEBS 2: 337-341 (1987).
Fujimoto, D., et al., J. Biochem. 83: 863-867 (1978).
Fujimoto, D., et al., J. Biochem. 94: 1133-1136 (1983).
【０００３】
Gosling, J., Clin. Chem. 36 (8): 1408 (1990).
Gunja-Smith, Z., et al., Biochem. J. 197: 759-762 (1981).
Harlow, E., et al., Antibodies: A Laboratory Manual, Cold Spring Harbor Lab (1988).
Henkel, W., et al., Eur. J. Biochem. 165: 427-436 (1987).
Macek, J., et al., Z. Rheumatol. 46: 237-240 (1987).
Ogawa, T., et al., Biochem, Biophys. Res. Commune. 107: 1252-1257 (1982).
Robins, S.P., Biochem J. 207: 617-620 (1982a).
Robins, S.P., in“Collagen in Health and Disease”(Weiss, J.B., et al., eds.) pp. 160-178, Churchill Livingstone, Edinburgh (1982b).
Robins, S.P., Biochem J. 215: 167-173 (1983).
Robins, S.P., et al., Ann. Rheumatic Dis. 45: 969-973 (1986).
Robins, S.P., et al., Biochim. Biophys. Acta. 914: 233-239 (1987).
Seibel, M.J., et al., J. Rheumatol 16: 964-970 (1989).
Wong, S.S., Chemistry of Protein Conjugation and Cross-Linking, CRC Press, Boca Raton, Florida (1991).
【０００４】
3.発明の背景
高レベルの骨再吸収、及び骨形成と骨再吸収との間の異常バランスを特徴とするヒトにおける様々な症状が存在する。これらの中でより一般的なものは、骨粗しょう症、パジェット病、及び骨の良性及び悪性腫瘍の進行に関連する症状並びに例えば前立腺又は胸の初期腫瘍から骨細胞へ転移した転移癌である。コラーゲン代謝における変化に関連する他の症状は、骨軟化(osteomalacial) 疾患、佝僂病(rickets) 、子供における異常成長、腎性骨ジストロフィー、及び薬物- 誘発性オステオペニアを含む。骨代謝における不規則性は、しばしば甲状腺治療の副作用及び甲状腺症状それ自体、例えば、初期甲状腺低下症及び甲状腺中毒症並びにクッシング病である。
【０００５】
骨再吸収の失調又は骨形成と骨再吸収との間の異常バランスを特徴とする他の疾患が尿中のピリジニウム架橋(pyridinium crosslinks) の変化したレベルにより検出されることができるというとが認識されている(Robins, 1982b; Macek; Black) 。多数のコラーゲン含有組織から生じる架橋は、その環窒素がリシン又はヒドロキシリシンのいずれかのイプシロン・アミノ基から誘導される中央の3-ヒドロキシ・ピリジニウム環を含む化合物の形態を呈する(Fujimoto, 1978; Robins, 1982a; Gunja-Smith; Ogawa; Eyre) 。
【０００６】
尿中に見られるピリジニウム架橋化合物は、4 つの一般的なクラス: (1) 約400 ダルトンの分子量をもつ遊離の生来の架橋(Fujimoto)、(2) 約550 〜1,000 ダルトンの間の分子量をもつ糖添加架橋及び架橋ペプチド形態(Robins, 1983)、(3) 1,000 〜3,500 ダルトンの間の分子量をもつ架橋ペプチド形態(Robins, 1983, 1987; Henkel; Eyre)、及び(4)3,500ダルトンを上回る分子量をもつ架橋ペプチド形態、に群分けされることができる。正常な大人においては、これらの形態は、全尿中架橋の約38% の(1) 、40% の(2) 、15% の(3) 、及び7%の(4) を占める(Daniloff)。正常な大人の尿中の遊離架橋( 上記群1)の約80% は、その環窒素がヒドロキシリシンから生じているピリジノリン(pyridinoline(Pyd)) であり、そして約20% は、その環窒素がリシンから生じているデオキシピリジノリン(deoxypyridinoline(Dpd))である。このPyd/Dpd 比は、尿中の他の3 クラスの架橋におおまかに適用できる。高分子量の架橋は酸加水分解により遊離の架橋に変換されることができる(Fujimoto, 1978)。
【０００７】
尿中のピリジニウム架橋の測定方法は提案されている。これらの方法の中に1 つは、全加水分解Pyd 、すなわち、尿中架橋の強い加水分解により作られたPyd を、HPLCにより分離されたその加水分解Pyd ピークを定量することにより、測定することを含む(Fujimoto, 1983)。熟成までの全加水分解Pyd 間の関係は、上記研究者により、全加水分解Pyd/クレアチニンに対する比として測定され、ここで、クレアチニンのレベルは架橋レベルを尿濃度及び骨格質量に標準化するために使用される。この比は、子供の尿中で高く、そして大人にわたり比較的定常であり、高齢において僅かに増加する。上記筆者は、これが高齢において観察される骨質量の損失に対応するかもしれないと推測している。
【０００８】
リウマチ様関節炎をもつ患者の加水分解尿中の全架橋の上昇レベルについての研究は、この疾患を診断する方法として示唆されている(Black, 1989) 。( HPLCにより測定された全架橋のクレアチニンに対する比として表された) リウマチ様関節炎をもつ患者についての全加水分解架橋のレベルは対照と比べたとき5 倍上昇した。しかしながら、全加水分解Dpd ではなく全加水分解Pyd だけが測定可能な増加を示した。
【０００９】
加水分解尿を使用したより詳細な研究において、Seibel他はリウマチ様及び骨関節炎の両方において対照に対してのPyd 及びDpd 架橋の分泌における有意な増加を示した。Pyd 架橋についての最も顕著な増加はリウマチ様関節炎をもつ患者において存在した(Seibel他)。
【００１０】
検定方法、例えば、直前に記載したようなものであって、加水分解サンプルからの架橋又は比加水分解サンプルからの架橋サブフラクションのHPLC定量を含むものは、実施するのにかなり時間が掛かり且つ高価であり、そして骨代謝失調における広範なスクリーニング又は治療をモニタリングするために実行することができない。
【００１１】
イムノアッセイも尿中架橋の測定のために提案されている。米国特許第4,973,666 号は、骨コラーゲンと会合する特異的なペプチド伸長を特徴とする、特異的ピリジニウム架橋の尿中の検出による骨再吸収の測定のための検定について開示している。骨コラーゲンと会合すると推定されるペプチド伸長をもつ2 つの特異的存在物について記載されている。これらは、パジェット病、すなわち、高速度の骨形成及び破壊を含むことで知られる病気を患う患者の尿から得られる。この検定は、その架橋ペプチドに対して調製された抗体とのその特異的ペプチド断片又は伸長を含む架橋化合物の免疫特異的結合に頼る。検定される架橋ペプチドの濃度が全尿中架橋に関係するかどうか又はどのように関係するかどうかは、明らかでない。
【００１２】
Robinsは、加水分解Pyd に特異的な抗体の使用による尿中のピリジノリンの測定のための技術について記載している(Robins他1986)。この方法は、その抗体がPyd の加水分解形態に特異的であることが発見されたという限定をもち、これは、テストされる尿サンプルが加水分解条件下で最初に処理されるべきことを要求する。加水分解処理は、この検定の時間及び費用を増加させ、そして他の生来のピリジニウム架橋の測定を排除する。
【００１３】
コラーゲン含有組織のピリジニウム架橋含量は、組織タイプに従って量及び組成において変化することが知られている。Pyd 架橋は、軟骨(cartilage) 、骨(bone)、椎間板(intervertebral discs)、靱帯(ligaments) 、及び大動脈中に発見された。Pyd 架橋よりも一般的に優勢ではないDpd 架橋は、骨、歯、靱帯、及び大動脈中に発見された。組織ピリジニウム架橋中のDpd の割合は、骨中で最も高いようであり、これは約3:1 〜4:1 間のPyd:Dpd 比をもつ。軟骨中のピリジニウム架橋は、他方において、主にPyd を含む。
【００１４】
理想的には、尿中のピリジニウム架橋レベルに基き骨代謝を評価するための検定方法は、(a) そのサンプルの酸加水分解についての必要性を回避するために、非加水分解尿サンプルを使用するべきであり、そして(b) 慣用のHPLCベースのテストにわたる分析の時間及び費用を減少させるために、生来の遊離のピリジニウム種を検出するための抗体試薬を使用するべきである。
【発明の開示】
【００１５】
4.発明の要約
本発明は、生来の遊離のピリジノリン、生来の遊離のデオキシピリジノリン、又は両方に特異的なモノクロナール抗体試薬を提供する。
【００１６】
1 つの態様においては、本発明は、ヒト被験者における骨コラーゲン分解活性の検定方法を含む。本法においては、被験者からの尿サンプルが、生来の遊離のピリジノリン及び生来の遊離のデオキシピリジノリンから成る群から選ばれたピリジニウム架橋と免疫特異的に反応することができるモノクロナール抗体と、反応する。このモノクロナール抗体は、約3:1 よりも大きな、そして好ましくは、約5:1 よりも大きな、選択されたピリジニウム架橋とに対する反応性と分子量において1,000 ダルトンを上回る尿中ピリジニウム・ペプチドとに対する反応性との比をもつ。
【００１７】
1 つの態様においては、本モノクロナール抗体は、生来の遊離ピリジノリンに特異的であり、そして約5:1 よりも大きな、生来の遊離ピリジノリンに対する反応性と生来の遊離デオキシピリジノリンとに対する反応性との比をもつ。第二の態様においては、本モノクロナール抗体は、生来の遊離デオキシピリジノリンに特異的であり、そして約25:1よりも大きな、生来の遊離デオキシピリジノリンに対する反応性と生来の遊離ピリジノリンとに対する反応性との比をもつ。他の態様においては、本モノクロナール抗体は、生来の遊離ピリジノリン及び生来の遊離デオキシピリジノリンに特異的であり、そして2:1 〜1:2 の間の、生来の遊離ピリジノリンに対する反応性と生来の遊離デオキシピリジノリンとに対する反応性との比をもつ。
【００１８】
より一般的には、生来の遊離ピリジノリンに対する反応性と生来の遊離デオキシピリジノリンに対する反応性との比は、5:1 超えから1:25未満までにあることができる。
【００１９】
尿サンプルは、本検定を妨害することができるサンプル成分( 例えば、タンパク質) を除去するために、ニトロセルロース・フィルター又は他の好適な分離媒質を通過させられることができる。
【００２０】
他の態様においては、本発明は、本法における使用のためのモノクロナール抗体試薬を含む。この抗体試薬は、生来の遊離ピリジノリン及び生来の遊離デオキシピリジノリンから成る群から選ばれた遊離のピリジニウム架橋への免疫特異的結合を、そして約3:1 よりも大きな、選択されたピリジニウム架橋とに対する反応性と分子量において1,000 ダルトンを上回る尿中ピリジニウム・ペプチドとに対する反応性との比を、特徴とする。
【００２１】
また、本発明は、先に記載したような抗体試薬の調製における使用のための免疫原をも含む。この免疫原は、好ましくは水溶性カルボジイミドによりタンパク質担体に結合された、生来の又は加水分解形態のいずれかにおける、遊離のPyd 又は遊離のDpd から成る。1 つの好ましいタンパク質担体は、keyhole limpetヘモシアニンである。
【００２２】
また、先に記載した抗体試薬中での使用のためのモノクロナール抗体の調製方法も本発明を形成する部分である。本法は、(a) 担体タンパク質に付着した遊離のピリジノリン又は遊離のデオキシピリジノリンにより免疫感作された動物からの脾臓細胞、及び(b) 不死化融合パートナーの融合生成物から成るハイブリドーマを作り、そして選択された生来の遊離のピリジニウム架橋に免疫反応性であるハイブリドーマを選択すること、を含む。担体タンパク質に付着された遊離のピリジニウム架橋は、形態において生来のもの又は加水分解されたものであることができる。
【００２３】
他の態様においては、本発明は、ヒト被験者における骨コラーゲン分解のレベルの検定における使用のためのキットを含む。このキットは、生来の遊離のピリジノリン及び生来の遊離のデオキシピリジノリンから成る群から選択されたピリジニウム架橋と免疫特異的に反応することができ、そして約3:1 を超える、選択されたピリジニウム架橋に対する反応性と、分子量において1,000 ダルトンを上回る尿中ピリジニウム・ペプチドに対する反応性との比をもつ、抗体試薬を含む。また、本キットは、サンプル中の遊離のピリジニウム架橋との上記抗体試薬の反応により形成される免疫複合体の量を検出するための検出手段を含む。
【００２４】
好ましくは、この検出手段は、比色定量シグナルを作り出すのに有効なリポーター酵素を含む。但し、他の様式を使用することができる。
【００２５】
1 つの一般的な態様においては、本キットは、先に記載したような抗体試薬であることができる表面付着結合剤をもつ固相支持体、又は生来の遊離のピリジニウム架橋を含む。他の一般的な態様においては、本キットは、EMIT配置(EMIT configuration)を使用する。
他の態様においては、本発明は、生来の遊離のピリジノリン及び生来の遊離のデオキシピリジノリンから成る群から選択されたピリジニウム架橋と免疫特異的に反応することができるポリクロナール抗体試薬を含む。この抗体試薬は、約3:1 を超える、好ましくは、約5:1 を超える、選択されたピリジニウム架橋に対する反応性と、分子量において1,000 ダルトンを上回る尿中ピリジニウム・ペプチドに対する反応性との比をもち、そして先に討議した方法及びキットにおいて使用されることができる。
【００２６】
他の態様においては、本発明は、尿中分析物を定量するための検定法を含む。この検定においては、尿サンプルを、その分析物の通過を許容しながら抗体に非特異的に結合する物質を除去するのに有効な膜を通して濾過する。濾過された尿サンプルを、サンプル中の分析物の量に比例してその固体支持体にその抗体を結合させるのに有効な条件下で、その分析物と抗原- 抗体複合体を形成させるのに有効な結合性試薬と、反応させる。好ましいフィルター膜は、ニトロセルロース、Immobilon（商標）-CD、及びImmobilon（商標）-PSQ を含む。
【００２７】
本発明の上記及び他の目的及び構成は、以下の発明の詳細な説明を添付図面と併せて読むときにより十分に明らかになるであろう。
【発明を実施するための最良の形態】
【００２８】
発明の詳細な説明
I.定義
本明細書中で使用するとき、以下の用語は、以下の定義をもつ:
"Pyd" 又は" ピリジノリン" 又は遊離のピリジノリン" とは、式中、その環窒素がヒドロキシルリシル残基のεアミノ基から生じている、以下の(I) において示される化合物をいい、そして"Dpd" 又は" デオキシピリジノリン" 又は遊離のデオキシピリジノリン" とは、式中、その環窒素がリシル残基のεアミノ基から生じている、以下の(II)において示される化合物をいう。
【化１】
2005010174.tif 000002
【００２９】
" 遊離の架橋(Free crosslinks)"とは、化合物(I) 又は(II)、あるいはそれらの混合物をいう。
" 糖添加ピリジノリン(Glycosylated pyridinoline)"又は"glyco-Pyd" とは、式中、グリコシル基がPyd の脂肪族ヒドロキシル基に共有結合した化合物(I) の糖添加形態をいう。同定されている2 つのglyco-Pyd 架橋は、Gal-Pyd 及びGlc-Gal-Pyd であって、これはそれぞれ以下の式(III) 及び(IV)において示される。
【化２】
2005010174.tif 000003
【００３０】
"Pyd- ペプチド" 又は" ピリジノリン- ペプチド" とは、式中、その化合物内の3 つのアミノ酸残基の中の1 以上がペプチド結合を介して追加のアミノ酸残基に結合されている化合物(I) のペプチド誘導体化形態をいう。同様に、"Dpd- ペプチド" 又は" デオキシピリジノリン- ペプチド" とは、式中、その化合物内の3 つのアミノ酸残基の中の1 以上がペプチド結合を介して追加のアミノ酸残基に結合されている化合物(II)のペプチド誘導体化形態をいう。
【００３１】
" ピリジニウム- ペプチド" とは、Pyd-ペプチドとDpd-ペプチドの混合物をいう。
"1000 ダルトンを超える分子量をもつPyd-ペプチド" 又は"Pyd-ペプチド(MW>1000)"とは、1,000 分子量カットオフをもつ透析膜により保持されたPyd-ペプチドをいう。
"1000 ダルトンを超える分子量をもつDpd-ペプチド" 又は"Dpd-ペプチド(MW>1000)"とは、1,000 分子量カットオフをもつ透析膜により保持されたDpd-ペプチドをいう。
【００３２】
"Pyd架橋" とは、遊離又は誘導体化形態のいずれかにおいて化合物(I) を含む尿中のピリジニウム架橋をいう。Pyd 架橋は、Pyd 、glyco-Pyd 及びPyd-ペプチドを含む。同様に、"Dpd架橋" とは、遊離又は誘導体化形態のいずれかにおいて化合物(II)を含む尿中のピリジニウム架橋をいう。"Dpd架橋" は、Dpd 及びDpd-ペプチドを含む。
【００３３】
" ピリジニウム架橋" とは、遊離及び/ 又は誘導体化形態における化合物(I) 及び/ 又は(II)を含むピリジニウム架橋をいう。
" 全H-Pyd"とは、Pyd 架橋をPyd に加水分解することにより作られた全加水分解Pyd をいう。同様に、" 全H-Dpd"とは、Dpd 架橋をDpd に加水分解することにより作られた全加水分解Dpd をいう。
【００３４】
" 加水分解-Pyd" 又は"H-Pyd" とは、6N HCl中で110 ℃において16時間Pyd 架橋を加水分解することにより作られたPyd をいう。同様に、" 加水分解-Dpd" 又は"H-Dpd" とは、6N HCl中で110 ℃において16時間Dpd 架橋を加水分解することにより作られたDpd をいう。
【００３５】
" 生来のPyd"又は"N-Pyd" とは、加水分解条件に供されない尿から得られたPyd をいう。同様に、" 生来のDpd"又は"N-Dpd" とは、加水分解条件に供されない尿から得られたDpd をいう。
【００３６】
" 生来の遊離のピリジノリン及び生来の遊離のデオキシピリジノリンから成る群から選ばれたピリジニウム架橋と免疫特異的に反応することができる" モノクロナール抗体( 又は抗体試薬) とは、尿サンプル中に存在することができる他の抗原性材料に対して、生来の遊離のピリジノリン、生来の遊離のデオキシピリジノリン、又はその両方に免疫特異的なモノクロナール抗体をいう。生来の遊離のピリジノリン及び生来の遊離のデオキシピリジノリンに対するモノクロナール抗体の反応性( アフィニティー) の比が、約5:1 以上から、約1:25未満までのレンジに、その間のすべての比を含んで、あることができる。
【００３７】
" 約3:1 を超える、選択されたピリジニウム架橋に対する反応性と、分子量において1,000 ダルトンを上回る尿中ピリジニウム・ペプチドとの反応性との比" の意味は、生来の遊離のピリジノリン対生来の遊離のデオキシピリジノリンについてのその抗体の相対的な特異性に依存する。抗体が、2:1 を超える、生来の遊離のピリジノリンに対する反応性と生来の遊離のデオキシピリジノリンに対する反応性との比をもつ場合には、このフレーズは、N-Pyd に対する反応性とPyd-ペプチド(MW>1000) に対する反応性との比をいう。抗体が、1:2 未満である、生来の遊離のピリジノリンに対する反応性と生来の遊離のデオキシピリジノリンに対する反応性との比をもつ場合には、このフレーズは、N-Dpd に対する反応性とDpd-ペプチド(MW>1000) に対する反応性との比をいう。2:1 〜1:2 の間の又はこれの等しい生来の遊離のピリジノリンに対する反応性と生来の遊離のデオキシピリジノリンに対する反応性との比をもつモノクロナール抗体については、このフレーズは、N-Pyd に対する反応性とPyd-ペプチド(MW>1000) に対する反応性との比、及びまた、N-Dpd に対する反応性とDpd-ペプチド(MW>1000) に対する反応性との比が、約3:1 を超える。
【００３８】
II. 抗体試薬の調製
本セクションは、約3:1 を超える、そして好ましくは、約5:1 を超える、生来の遊離ピリジニウム架橋に対する反応性と、1,000 ダルトンを上回る尿中ピリジニウム・ペプチドに対する反応性との比により証明されるような、生来の遊離のピリジニウム架橋(N-Pyd、N-Dpd 、又は両方のいずれか) に特異的であるモノクロナール及びポリクロナール抗体("抗体試薬")の生産について記載する。
【００３９】
抗体が生来の遊離のピリジノリンに結合するためのものである場合には、その抗体は、好ましくは、約5:1 を超える、好ましくは約20:1を超える、そしてより好ましくは約100:1 を超える、生来の遊離のピリジノリンに対する反応性と、生来の遊離デオキシピリジノリンに対する反応性との比をもつ。
【００４０】
抗体が生来の遊離のデオキシピリジノリンに結合するためのものである場合には、その抗体は、好ましくは、約5:1 を超える、好ましくは約25:1を超える、そしてより好ましくは約100:1 を超える、生来の遊離のデオキシピリジノリンに対する反応性と、生来の遊離ピリジノリンに対する反応性との比をもつ。
【００４１】
抗体が生来の遊離のピリジノリン及び生来の遊離のデオキシピリジノリンに結合するためのものである場合には、その抗体は、好ましくは、約2:1 〜1:2 の間の、生来の遊離のピリジノリンに対する反応性と、生来の遊離デオキシピリジノリンに対する反応性との比をもつ。
【００４２】
本発明に係る抗体試薬は、好ましくは、約5 x 107 / モルを超える選択されたピリジニウム種(N-Pyd又はN-Dpd)についての結合アフィニティー定数をもつ。
【００４３】
A.免疫原
抗体試薬を作るために使用される免疫原は、担体分子、典型的には担体タンパク質、例えば、Keyhole limpetヘモシアニン(KLH) に結合したH-Dpd 又はH-Pyd である。
【００４４】
Pyd は、生来のPyd(N-Pyd)又は加水分解されたPyd(H-Pyd)であることができる。同様に、Dpd は、生来のDpd(N-Dpd)又は加水分解されたDpd(H-Dpd)であることができる。N-Dpd 又はN-Pyd を得るために、尿中の他のピリジニウム化合物からのN-Dpd 又はN-Pyd のグロス分離を、実施例2 中に記載するように、尿の分画により達成することができる。簡単に言えば、尿の濃縮物を、Sephadex G-10 カラムに適用し、そしてすべてのピリジニウムを含む画分を溶出させる。次にこの溶出物をクエン酸ナトリウムにより平衡化したホスホセルロースのカラムに適用し、そして塩により溶出させ、単一ピークにおいて遊離架橋を得る。このサンプルは加水分解条件に供されないので、このピークは、N-Dpd 及びN-Pyd 形態("遊離の架橋")だけではなく、glyco-Pyd をも含む、先に記載したようなGal-Pyd 及び及びGlc-Gal-Pyd を含む。次に、さらなる精製を、便利には、例えば、スルホン化ポリスチレン・ビーズ上のイオン交換、又はHPLCを使用した標準的な方法により行う。この分離にための典型的なプロトコールは、例えば、Black, et al., 1988 、Seibel et al., 1989 、及び実施例2 の中にある。
【００４５】
あるいは、加水分解Pyd 又はDpd は、例えば、Black et al., 1988中に記載されたように精製された、骨コラーゲン又は尿中のピリジニウム架橋の酸加水分解により作られることができる。
【００４６】
担体タンパク質へのH-Pyd 又はH-Dpd のカップリングは、典型的には、標準的な方法に従って、1 のカップリング末端において、H-Pyd 又はH-Dpd の遊離のカルボキシル基の中の1 つへのアミド結合を、そして他のカップリング末端において、その担体タンパク質へのアミド又はエステル又はジスルフィド結合を形成する二価カップリング剤を使用した、標準的なカップリング方法による。
【００４７】
あるいは、好ましい態様においては、H-Pyd 又はH-Dpd は、これもまたよく知られた方法に従って、例えば、水溶性カルボキシル活性化剤、例えば、EDC(1-(3- ジメチルアミノプロピル)-3-エチルカルボジイミド) の存在中、そのタンパク質に直接的に結合されることができる。後者のアプローチを、実施例3 において説明する。この例は、EDC 活性化によるkeyhole limpetヘモシアニン(KLH) へのH-Dpd のカップリングについて記載する。ペプチド抗原による担体タンパク質の誘導体化のための一般的なカップリング反応は、Harlow (1988), pp. 77-87及びWong (1991) 中に与えられている。
【００４８】
B.モノクロナール抗体試薬
モノクロナール抗体試薬を作るために、先に記載した免疫原を、動物、例えば、マウスを免疫感作させるために使用し、これから、抗原- 特異的リンパ球を不死化のために得ることができる。好適でることが判明している1 つの動物は、Jackson Laboratory(Bar Harbor, ME)から入手可能な" 自己免疫性(autoimmune)"MRL/MpJ-lprマウスである。
【００４９】
N-Pyd に特異的な抗体が望ましい場合には、H-Pyd-免疫原が典型的に使用される。同様に、N-Dpd に特異的な抗体が望ましい場合には、H-Dpd-免疫原が典型的に使用される。Pyd 及びDpd の両方を認識する抗体を、H-Pyd-免疫原又はH-Dpd-免疫原を使用して得ることができる。
【００５０】
B.1 N-Pyd モノクロナール抗体
N-Pyd に特異的なモノクロナール抗体試薬を作るために、マウスを、実施例4 中に大要を示すように、H-Pyd-KLH 免疫原の一連の注射を使用して免疫感作させることができる。最初の免疫感作の約8 週間後、脾臓細胞を収穫し、そしてP3X63Ag8.653ミエローマ細胞系と融合させる。首尾よく融合した生成物の選択は、公開された方法に従って、ならしS-DMEM培地中のHAT 中で行われることができる( 一般的には、Harlow, pp. 196-212 を参照のこと。) 。次に首尾よい融合生成物を、実施例8 中に記載するものと類似の競合的イムノアッセイ処方を使用して、N-Pyd との免疫反応性についてスクリーンする。N-Pyd への高いアフィニティー結合を示す細胞系を、限界希釈法によりサブクローン化し、そしてN-Pyd についての高い結合アフィニティーをもつ抗体の生産についてさらにスクリーンする。上記手順により得られ、そしてN-Pyd についての高い抗体アフィニティーを与える1 つのサブクローン化された細胞系を、本明細書中で、Mab-XXV-3G6-3B11-1A10 と命名する。この細胞系のサンプルは、American Type Culture Collection, 12301 Parklawn Dr., Rockville MD 20852により寄託されており、そしてATCC第HB11089 号と指定されている。
【００５１】
抗体試薬を作るために、上記ハイブリドーマ細胞系を、好適な培地(harlow, pp. 247-270) 、例えば、以下の材料及び方法のセクション中に記載するように補われたDulbecco's修飾Eagle's 培地(DMEM)中で、培養する。モノクロナール抗体("Mabs")を、上記培地から収穫し、そして公開された方法(Harlow pp. 271-318)に従って濃縮及び保存することができる。
【００５２】
先に述べたように、本発明の重要な特徴は、尿中のより大きな分子量のピリジニウム架橋に対するN-Dpd 及びN-Pyd についての抗体試薬の特異性である。N-Pyd 、N-Dpd 、及び他の尿中ピリジニウム架橋についての抗体試薬の相対的特異性は、実施例10中に詳説されるように、N-Pyd についての競合的結合検定により測定されることができる。
【００５３】
簡単に言えば、N-Pyd 及びN-Dpd 、並びに等モル量( それぞれ150 μM)中に20の一般的アミノ酸を含むアミノ酸を含む様々な精製された架橋サンプルを、そのサンプル中のピリジニウム架橋がその抗体への結合についてその支持体結合N-Pyd と競合する条件下で、付着されたN-Pyd をもつ固相支持体の上で、限定された量の抗体試薬と反応させる。固相支持体への抗体の結合の程度は、その抗体試薬についてのそのサンプル架橋の相対的反応性の尺度を提供する。
【００５４】
実施例10中に大要を示す手順に従って、N-Pyd 、N-Dpd 、Pyd-ペプチド(MW>1,000)、及びアミノ酸混合物( 一般的な20アミノ酸のそれぞれ150 μM)の、細胞系 Pyd XXV-3G6-3B11-1A10からのモノクロナール抗体への結合のレベルを、調査した。それぞれのサンプルの見かけのPyd 濃度を、精製N-Pyd を使用して確立された標準曲線を使用して測定した。それぞれのサンプルのパーセント反応性を、全H-Pyd についてHPLCにより測定されたサンプル中の全Pyd 架橋濃度(100倍) に対する、又はN-Dpd サンプルの場合における全H-Dpd についてのHPLCにより測定されるような全Dpd-架橋濃度(100倍) に対する、( 上記のN-Pyd 標準曲線を使用して測定された) 見かけの濃度の比として、計算した。結果を表1 中に示す。ここで、N-Pyd との反応性を100%として定義した。
【００５５】
【表１】
2005010174.tif 000004
【００５６】
表から分かるように、モノクロナール抗体試薬は、N-Dpd に対してN-Pyd について高く選択性であり、約3:1 を超える、そして本ケースにおいては、5:1 を超える、生来の遊離ピリジノリンに対する反応性と、生来の遊離デオキシピリジノリンに対する反応性との比を、示している。また、この試薬は、( 全Pyd 含量について定量され) テストされたピリジニウム- ペプチド形態を上回ってN-Pyd について選択性であり、約100:1 を超える、分子量において1,000 ダルトンを上回るピリジノリン・ペプチドに対する反応性の比を示す。さらに、この試薬は、テストされたアミノ酸混合物との最小の交差反応性(<1%) を示す。
【００５７】
より一般的には、N-Pyd に特異的であるMab 試薬は、上記の検定により測定されるとき、5:1 を超える、好ましくは、10:1を超える、より好ましくは、25:1を超える、そして本ケースにおいては、100:1 を超える、生来の遊離のピリジノリン(N-Pyd) 及びPyd-ペプチド(MW>1000) に対する反応性をもつ。
【００５８】
B.2  N-Dpdモノクロナール抗体
N-Dpd に特異的であるモノクロナール抗体試薬を作るために、N-Pyd Mabsを得るための先の手順を使用することができる。但し、H-Dpd-KLH を免疫原として使用し、そして免疫反応性スクリーニングをN-Dpd のための検定により行う。この手順により得られ、そしてN-Dpd についての高い抗体アフィニティーを与える1 つのサブクローン化細胞系は、本明細書中、Mab-Dpd-II-7B6-1F4-1H11 として命名する( 実施例5 参照) 。
【００５９】
この抗体試薬は、上記ハイブリドーマ細胞系から作られ、そして、N-Pyd Mabsのために先に記載した同一の一般的手順により保存される。
N-Dpd 、N-Pyd 、及び他の尿中ピリジニウム架橋についての抗体試薬の相対的特異性は、先に記載したようなアプローチ( セクションB.1)により測定されることができるが、付着N-Dpd をもつ固相支持体を使用する。
【００６０】
実施例10中に大要を示す手順に従って、N-Dpd 、N-Pyd 、Dpd-ペプチド(MW>1,000)、及びアミノ酸混合物( 一般的な20アミノ酸のそれぞれ150 μM)の、細胞系 Mab-Dpd-II-7B6-1F4-1H11からのモノクロナール抗体への結合のレベルを、調査した。それぞれのサンプルの見かけのDpd 濃度を、精製N-Dpd を使用して確立された標準曲線を使用して測定した。それぞれのサンプルのパーセント反応性を、全H-Dpd についてHPLCにより測定されたサンプル中の全Dpd 架橋濃度(100倍) に対する、又はN-Pyd サンプルの場合における全H-Pyd についてのHPLCにより測定されるような全Pyd-架橋濃度(100倍) に対する、( 上記のN-Dpd 標準曲線を使用して測定された) 見かけのN-Dpd 濃度の比として、計算した。結果を表2 中に示す。ここで、N-Dpd との反応性を100%として定義した。
【００６１】
【表２】
2005010174.tif 000005
【００６２】
表から分かるように、モノクロナール抗体試薬は、N-Pyd に対してN-Dpd について高く選択性であり、約100:1 を超える、生来の遊離のデオキシピリジノリンに対する反応性と、生来の遊離のピリジノリンの対する反応性との比を示す。また、この試薬は、( Dpd 含量について定量され) テストされたピリジニウム- ペプチド形態を上回ってN-Dpd について選択性であり、約3:1 を超える、そして好ましくは約5:1 を超える、分子量において1,000 ダルトンを上回るデオキシピリジノリン・ペプチドに対する反応性の比を示す。さらに、この試薬は、テストされたアミノ酸混合物との最小の交差反応性(<1%) を示す。
【００６３】
より一般的には、N-Dpd に特異的であるMab 試薬は、上記の検定により測定されるとき、5:1 を超える、好ましくは、10:1を超える、より好ましくは、25:1を超える、そして本ケースにおいては、100:1 を超える、生来のデオキシピリジノリン(N-Dpd) 及びDpd-ペプチド(MW>1000) に対する反応性をもつ。
B.3   競合的アフィニティーをもつN-Pyd 及びN-Dpd に結合するモノクロナール抗体
競合的アフィニティーをもつN-Pyd 及びN-Dpd に結合するモノクロナール抗体試薬を作るために、N-Pyd Mabs及びN-Dpd Mabsを得るための先の手順を使用することができる。但し、免疫原はH-Pyd-KLH 又はH-Dpd-KLH であることができ、そして免疫反応性スクリーニングをN-Pyd 及びN-Dpd のための別個の検定により行う。免疫原としてH-Dpd-KLH を使用して上記手順により得られ、そしてN-Dpd 及びN-Pyd についての高い抗体アフィニティーを与える1 つのサブクローン化細胞系を、本明細書中、Mab Pyd/Dpd-V-6H2-2H4-1E4 として命名する( 実施例6 参照) 。
【００６４】
この抗体試薬は、上記ハイブリドーマ細胞系から作られ、そしてN-Pyd Mabsのために先に記載した同一の一般的手順により保存される。
【００６５】
N-Dpd 、N-Pyd 、及び他の尿中ピリジニウム架橋についての抗体試薬の相対的特異性は、先に記載したようなアプローチ( セクションB.1 及びB.2)により測定されることができる。本ケースにおいては、Pyd/Dpd-V-6H2-2H4-1E4 細胞系を使用して作られた抗体について、それぞれのサンプルのパーセント反応性を、全H-Dpd についてHPLCにより測定されたサンプル中の全Dpd 架橋濃度(100倍) に対する、又はN-Pyd サンプルの場合における全H-Pyd についてのHPLCにより測定された全Pyd-架橋濃度(100倍) に対する、( 上記のN-Dpd 標準曲線を使用して測定された) 見かけのN-Dpd 濃度の比として、計算した。結果を表3 中に示す。ここで、N-Dpd との反応性を100%として定義した。
【００６６】
【表３】
2005010174.tif 000006
【００６７】
表から分かるように、このモノクロナール抗体試薬は、競合的アフィニティーをもってN-Dpd 及びN-Pyd を認識し、1:1 に近い交差反応性比をもつ。また、この試薬は、テストされたピリジニウム- ペプチド形態( Pyd 及びDpd ペプチドの両方) を上回ってN-Dpd について選択性であり、約3:1 を超える、そして本ケースにおいては、9:1 を超える、分子量において1,000 ダルトンを上回るピリジニウム・ペプチドに対する反応性の比を示す。さらに、この試薬は、テストされたアミノ酸混合物との最小の交差反応性(5%)を示す。
【００６８】
より一般的には、Pyd/Dpd-特異的であるMab 試薬は、約2:1 〜1:2 間の生来の遊離ピリジノリン(N-Pyd) 及び生来の遊離デオキシピリジノリン(N-Dpd) に対する反応性をもつ。
【００６９】
B.4   アフィニティー・クロマトグラフィー
本発明に係る抗体試薬を、例えば、プールした尿素をこのようなマトリックスに通過させることにより、コラーゲン組織から得られた生来の遊離ピリジニウム架橋を結合させ、そして集めるための、標準的なアフィニティー・クロマトグラフィー法に従って、アフィニティー・クロマトグラフィー・マトリックス中で、使用することもできる。N-Pyd の単離のために、N-Pyd に特異的である抗体試薬をそのマトリックス中で使用することができる。あるいは、N-Pyd 及びN-Dpd の両方の単離のために、競合的アフィニティーにより両方に結合する抗体を使用する。得られた生来の遊離の架橋を、適宜、実施例1 及び2 中に記載する方法により、さらに精製することができる。
【００７０】
C.  ポリクロナール抗体
ポリクロナール抗体調製は、本分野において一般的に知られた免疫学的プロトコール、例えば、Harlow, pp. 93-115に従って、好適な哺乳類被験体、例えば、ウサギ又はマウス中に免疫原を注射することを含む。典型的には、ウサギは、アジュバント中の免疫原により皮下注射され、そしてブースター免疫感作が2-3 週間毎に皮下又は筋中注射により与えられ; マウスは、同様のスケジュールに従って腹膜内注射されることができる。血液を、例えば、それぞれの免疫感作注射の1-2 週間後に、間隔をおいて採取する。抗血清を、標準的な免疫沈降方法(Harlow, pp. 423-470) に従って、N-Pyd 又はN-Dpd に関する抗体形成を測定するために、滴定することができる。ウサギにおけるポリクロナール抗体の1 産生方法の詳細を、実施例19中に与える。
【００７１】
ポリクロナール抗血清についての結合アフィニティー定数は、公知の方法により( 例えば、免疫沈降又はELISA 検定を使用したScatchard 分析による) 決定されることができ、そして選択されたピリジニウム種に対して特異的である抗血清中の抗体についての平均結合アフィニティー定数を表す。ウサギVI-8から得られたポリクロナール抗体は、Scatchard 分析により測定されるように、約1 x 108 のN-Pyd についての結合定数をもつ。
【００７２】
選択されたピリジニウム種及び他のピリジニウム架橋についての抗体試薬の相対的な結合特異性を、先にセクションB に記載され、そして実施例10中に詳説するような競合的結合検定により測定することができる。表3.5 は、ウサギVI-8から得られた抗-Pyd抗血清の相対的結合特異性を示しており、ここで、N-Pyd との反応性を100%として定義した。
【００７３】
【表４】
2005010174.tif 000007
【００７４】
表から分かるように、N-Pyd に特異的であり、N-Dpd との10% 未満の交差反応性を、Pyd-ペプチド(MW>1000) との5%未満の交差反応性を、そしてアミノ酸混合物との中程度( 〜12%)の交差反応性を示す。本発明の1 つの態様に従えば、ポリクロナール抗体試薬は、先の抗原- 競合検定により測定されるような、3:1 を超える、そして好ましくは約5:1 を超える、選択された生来の遊離のピリジニウム種(N-Pyd、N-Dpd 、又は両方) 及び分子量において1,000 ダルトンを上回る尿中ピリジニウム・ペプチドに対する反応性をもつ。
【００７５】
III.  イムノアッセイ・キット
他の態様において、本発明は、ヒト被験者におけるコラーゲン分解レベルの検定における使用のための診断キットを含む。このキットは、(a) 生来の遊離のピリジノリン及び生来の遊離のデオキシピリジノリンから成る群から選ばれたピリジニウム架橋と免疫特異的に反応することができ、約3:1 を超える、好ましくは約5:1 を超える、選択されたピリジニウム架橋に対する反応性と、分子量において1,000 ダルトンを上回る尿中ピリジニウム・ペプチドに対する反応性との比をもつ、抗体試薬、及び(b) その抗体試薬とその遊離のピリジニウム架橋との反応により形成された免疫複合体の量を検出するための検出手段、を含む。好ましい態様においては、この検出手段は、比色定量シグナル、すなわち、分光光度計により測定されることができるシグナルを作るために有効なものである。
【００７６】
1 つの一般的な態様においては、このキットは、その抗体試薬と免疫反応性であるサンプル中の生来の遊離のピリジニウム架橋の量に比例してその検出試薬中のリポーター基に結合するのに有効な表面付着結合性分子をもつ固相支持体を含む。
【００７７】
説明の目的のために、サンプル中のN-Pyd を測定するための、このようなキットの特定の態様を、図1A-1C 中に(10)において示す。キット内の固相支持体(12)は、結合剤が吸着され又は化学的に付着されることができる1 表面をもつ。化学的に誘導体化されることができる基、又はタンパク質吸着において有効な表面をもつ様々なガラス及びポリマー樹脂支持体が利用できる。1 つの好ましい態様においては、このキットは、マイクロタイター・プレート内の96ウェルを提供し、ここでは、そのウェル表面は、このキットにおける固相支持体表面を形成する。
【００７８】
キット(10)における結合剤は、N-Pyd であり、図中、例えば、(16)においてPyd(N)分子により示される。この結合剤は、固相に、本ケースにおいては、96ウェル・マイクロタイター・プレート内のそれぞれのウェルに、卵白アルブミン- ビオチン複合体、例えば、図1A中複合体(18)をそのウェル表面に最初に吸着させ、次にN-Pyd-ストレプトアビジン複合体、例えば、複合体(20)をその吸着したビオチンへの付着させることにより、付着される。あるいは、卵白アルブミン- ビオチン複合体の吸着を省略することができ、そしてN-Pyd-ストレプトアビジンをその固体支持体に直接に結合させることができる。N-Pyd コート・マイクロタイター・プレートを作る方法を、実施例8 及び9 中に詳説する。
【００７９】
このキット内の抗体試薬を図1B及び1C中(22)において示し、これは、先のセクション中に記載したモノクロナール抗体を含む。図1B中に示されるように、サンプル中のピリジニウム架橋、例えば、(26)において示されるN-Pyd 架橋は、その抗体試薬との結合について表面結合N-Pyd と競合する。サンプル架橋との抗体試薬の反応により形成された免疫複合体を、この図中で(28)において示す。
【００８０】
このキット内の検出試薬は、図1C中(24)において示されたリポーター標識第二抗体であり、これは、固体支持体に付着されたN-Pyd にそれ自体が結合する抗体試薬に結合するのに有効である。リポーター標識抗体、例えば、酵素標識抗体は、商業的に入手可能であり又は様々なリポーター部分について容易に構築される(Harlow, pp. 319-358) 。酵素標識抗体内の1 つの好ましい酵素は、アルカリ性ホスファターゼであり、これは、p-ニトロフェニルホスフェート基質と反応し、405nm における強い吸収をもつ着色生成物を作ることができる。
【００８１】
リポーター標識第二抗体は、このキット内のモノクロナール抗体試薬が免疫感作マウスから得られる場合には、典型的には、抗-IgG抗体、例えば、抗- マウスIgG 抗体である。ここで、( 先のようなN-Pyd と免疫反応性である) 抗体試薬は" リポーター標識性" である。なぜなら、その抗体試薬がそのリポーター標識第二抗体との反応により標識されるようになるからである。リポーター標識性抗体試薬の他の例は、検出目的のためのリポーター標識されたストレプトアビジン又はビオチン標識されたパートナーと反応することができるビオチン- 又はストレプトアビジン- 標識抗体を含む。
【００８２】
他の態様においては、この検出試薬は、リポーター、例えば、酵素により標識された、抗-Pyd抗体試薬それ自体であることができる。
このキットにおける検出手段は、リポーターの検出に必要な必要基質をも含むことができる。
【００８３】
固相支持体をもつキットの他の態様においては、この支持体に付着された結合剤( 結合分子) は、セクションII中に記載した抗体である。この抗体は、標準的な方法に従って、例えば、化学的誘導体化又はプロテインA 又は抗-IgG抗体によるその抗体のアフィニティー結合を含む様々な公知の方法によりその固体支持体に付着されることができる。この態様においては、このキットは、さらにその支持体上の抗体試薬に結合するためにそのサンプル中のN-Pyd と競合するのに有効なピリジノリン試薬を含む。検出目的のために、このピリジノリン試薬は、ピリジノリンに共有結合したリポーター標識を含むことができる( すなわち、その試薬は、リポーター標識されたピリジノリンであることができる。) 。あるいは、このピリジノリン試薬は、リポーター標識性であることができ、ここで、このピリジノリン試薬は、例えば、対応するリポーター標識されたストレプトアビジン又はビオチン分子による認識のために、ビオチン又はストレプトアビジンのような剤に結合されたPyd を含むことができる。
【００８４】
他の特定の態様においては、本キットは、EMIT遠心分離( 酵素増加イムノアッセイ技術(enzyme multiplied immunoassay technique) 、図7A-7C)を使用する。このアプローチにおいては、サンプル分析物は、その標識酵素への抗体の結合がその酵素の触媒活性における減少を導くような条件下で、分析物- 特異的抗体への結合についてその分析物標識酵素と競合する。これ故、その酵素の観察された触媒活性は、そのサンプル中の分析物のレベルに比例し、分析物のレベルが高ければ、より高い酵素活性を生じさせる。
【００８５】
図7A-7B を参照すれば、上記キットは、酵素(34)及び1 以上のピリジニウム( すなわち、遊離のピリジノリン又は遊離のデオキシピリジノリン) 標識(36)から形成されたあピリジニウム標識酵素(32)を含む。図中に示した態様においては、ピリジニウム標識(36)は、遊離のピリジノリンである。酵素(34)は、好ましくは、分光光度計により測定されることができる検出可能な生成物の形成を触媒することができる。本キットにおける使用に好適である例示的な酵素は、リューコノストック・メセンテロイド(Leuconostoc mesenteroides)からのグルコース-6- ホスフェート・デヒドロゲナーゼ(G6PDH) である。
【００８６】
また、ピリジニウム標識(36)及び分析物ピリジニウム種(40)と免疫特異的に反応することができるピリジニウム特異的抗体(38)も含まれる。図7A-7C 中に示す態様においては、標識(36)及び分析物ピリジニウム種(40)は、遊離のピリジノリンである。
【００８７】
酵素(34)と標識(36)との間の結合は、直接的な結合又は本分野において公知の様々なカップリング剤の使用による間接的な結合を介して存在することができる( 例えば、Wong, 1991) 。例えば、好ましい態様においては、カルボジイミド試薬の存在中ピリジニウム標識(36)( 例えば、ピリジノリン) と酵素(34)との反応は、酵素(34)内のアミノ基又はカルボン酸基と標識(36)内のカルボン酸基又はアミノ基との直接カップリングを導く。このような直接結合を形成するための反応条件を、実施例15中に提供する。あるいは、標識(36)、酵素(34)、又は両方が、その標識とその酵素との間の選択された長さの( すなわち、間接的カップリングを介して) 架橋基を形成するのに有効なカップリング試薬と反応することができる。実施例16中に記載する手順において、ピリジノリンは、カップリング剤、スルホ-SMCC(以下、SMCCという) と反応し、マレイミド含有ピリジノリン付加物を形成する。次にこの付加物は、酵素(34)の表面上のアミノ基又はスルフヒドリル基と反応し、標識酵素(32)を形成することができる。実施例16中に説明するように、酵素は、例えば、N-スクシンイミジルS-アセチルチオアセテート(SATA)により誘導体化され、このピリジノリン付加物と反応性である追加のスルフヒドリル基を導入することができる。カップリング剤SPDPを使用した類似のアプローチを実施例17中に記載する。
【００８８】
標識酵素(32)の望ましい特性は、(1) その標識酵素が非標識酵素の活性に関して触媒活性の実質的な量( すなわち、約5%を超える)を保持し、そして(2) ピリジニウム標識(36)へのピリジニウム特異的抗体の結合が標識酵素(32)の活性において検出可能な減少をもたらす、ということである。
【００８９】
したがって、標識酵素を調製するための反応は、その酵素内の活性部位残基の標識により活性損失を最小化するために活性部位リガンド( 例えば、基質又は基質アナログ) の存在中で行われることができる。さらに、標識(36)により標識されるべき酵素表面基のタイプは、本分野において知られるような、カップリング剤及び反応条件の好適な選択により選ばれることができる(Wong, 1991)。
【００９０】
本キットにおける使用に好適である標識酵素の調製においては、幾つかの標識された酵素の候補は、様々なカップリング試薬及びピリジニウム標識: 酵素比のあるレンジを使用して調製されなければならない。ピリジニウム標識: 酵素の高い比は、( その部位における抗体の結合が触媒活性を減少させるであろうように) その活性部位の近くの残基を標識する見込みを増加させるけれども、このような高い比は、図8 から分かるように、触媒活性のより大きな損失をも導くことができる。酵素活性に関してのピリジニウム標識: 酵素の最適比は、典型的には、以下に討議する追加の考慮に基づき決定される。
【００９１】
抗体(38)は、先にセクションII中に討議した一般的な方法により産生されたポリクロナール抗体又はモノクロナール抗体であることができる。典型的には、生来の遊離にピリジノリン、デオキシピリジノリン、及び高分子量のピリジニウム・ペプチド形態に関しての抗体の特異性は、セクションII中に討議したように決定され、そして実施例10中に説明される。
【００９２】
先に述べたように、標識酵素(32)への抗体の結合は、酵素の活性における検出可能な減少を導く。好ましくは、過剰の抗体(38)は、少なくとも約10% 程、そしてより好ましくは、少なくとも約20〜30% 程、標識酵素(32)の触媒活性を減少させることができる。抗体調製物が触媒活性を減少させる能力は、図9A及び9B中に例示するアプローチにより評価されることができる。図9Aは、セクションII.B.1中に討議したように調製したPyd-特異的モノクロナール抗体(V-6H2)の増加濃度の関数としてのPyd-標識G6PDH(G6PDH の1 分子当たり〜8 分子のH-Pyd)の活性を示している。図から分かるように、酵素活性は、100 倍抗体希釈の存在中100%から10倍抗体希釈の存在中60% まで降下した( すなわち、40% の減少) 。図9Bを参照すると、これは、Pyd-特異的ポリクロナール抗体(VI-8-19) についてのデータを示すが、400 倍希釈から10倍希釈への抗体濃度の増加は、約80% の活性損失を導いた。
【００９３】
キット(30)は、抗体(38)及び分析物(40)の存在中、酵素(32)の触媒活性を測定するための検出試薬をも含むことができる。図7 中に例示するキットにおいて、ここで、酵素(32)はG6PDH であるが、この検出試薬は、340nm において強く吸収性であるニイコチンアミド・アデニン・ジヌクレオチド(NADH)の還元形態を作るための、グルコース-6- ホスフェート及びニコチンアミド・アデニン・ジヌクレオチド(NAD+ ) の酸化形態を含む。好ましい態様においては、そのキットが多ウェルのマイクロタイター・プレートを提供する場合、酵素(32)の触媒活性は、時間の関数として吸光度を測定することができるマイクロプレート・リーダーを使用して測定される。
【００９４】
例示的なEMIT- ベース検定キットの使用を実施例18中に詳説する。要約すれば。50μL アリコットのピリジノリン標準又は希釈尿サンプルをマイクロタイター・プレートのそれぞれのウェルに添加し、その後、100 μL の好適に希釈した抗体を添加する。そのプレートを選択された時間( 例えば、2 分間) にわたり室温においてインキュベートした後、100 μl の希釈EDC-結合ピリジノリン-G6PDH結合体(8 Pyd/G6PDH分子) を、それぞれのウェルに添加し、その後室温において( 例えば、約5 分間) インキュベートする。最後のインキュベーション期間の後、グルコース-6- ホスフェート及びNAD + を含む60μL の基質溶液をそれぞれのウェルに添加し、そしてG6PDH 活性をマイクロプレート・リーダーを使用して340nm において測定する。様々なPyd 標準により測定された活性を、尿サンプル中のPyd のレベルを測定するために使用されることができるPyd 換算曲線( 例えば、図10参照) を構築するために使用する。サンプル、抗体試薬、及び酵素が一緒に添加されるオーダーが実施例18において使用されるものと異なることができるということが理解されよう。
【００９５】
先のキットをN-Pyd の検定について説明したけれども、類似の処方が、そのキットがN-Dpd-特異的抗体試薬を使用したN-Dpd の測定のためのもの又は競合性アフィニティーをもってN-Pyd 及びN-Dpd に結合する抗体試薬を使用したN-Pyd 及びN-Dpd の合計の測定のためのものである場合に、使用されることができることが理解されよう。
【００９６】
さらに、本発明に係るキットが放射トレーサー、結合酵素、蛍光性、及び化学発光性に基づく処方を含む、多数の他の同種及び異種検定処方に改良されることができるということが理解されよう。
【００９７】
IV. イムノアッセイ法
本発明に係るイムノアッセイ法は、ヒト被験者における骨コラーゲン分解活性の検定方法を提供する。本法は、先のセクションII中に記載された抗体試薬と上記被験者からの尿サンプルとを反応させ、その抗体とそのサンプル中の生来の遊離のピリジノリンとの間に免疫複合体を形成させ、そして形成された免疫複合体の量を計測することを含む。
【００９８】
好ましくは、セクションV 中にさらに討議するように、尿サンプルを、そのサンプルをその抗体試薬と反応させる前に、( 例えば、濾過を介して) ニトロセルロース・フィルター又は膜と接触させ、N-Pyd の計測を妨害することができるサンプル中の物質のレベルを減少させる。
【００９９】
先のセクションIII 中に示すように、尿サンプルと抗体試薬との反応を、様々な配置を使用した固相方式において、又は同種の検定方式において、行うことができる。例示的な目的のために、このイムノアッセイ法を図1A-1C 中に示すようなものと類似した固相支持体を含む検定方式を参照しながら以下に記載する。
【０１００】
本法の例示的な態様においては、尿サンプルの既知の容量、典型的には10-100μl が、N-Pyd-コートされた固体支持体、例えば、マイクロタイター・プレート内のウェルに添加し、その後、既知希釈における抗体試薬の既知容量、典型的には50-200μl を添加する。固体支持体表面上の混合物を次に、好ましくは、抗体、サンプル・ピリジニウム架橋、及び表面結合Pyd の間の平衡を達成するのに有効な条件下で、インキュベートする。実施例8 中に詳説する方法においては、このインキュベーションを2-8 ℃において一夜行う。
【０１０１】
インキュベーション後、固体支持体を数回洗浄し、その支持体に非特異的に結合した抗体を除去し、そして次に支持体結合抗体に特異的に結合するのに有効なリポーター- 標識抗-IgG抗体等とインキュベートする。便利には、マウスを使用して得られたモノクロナール抗体については、リポーター- 標識抗体は、アルカリ性ホスファターゼに結合されたヤギ抗- マウスIgG である。短いインキュベーション時間の後、支持体を再び洗浄し、非特異的に結合した材料を除去し、そしてその支持体に結合した酵素のレベルを、酵素基質の添加により、変換された基質の分光光度計測定により、測定する。
【０１０２】
N-Pyd の測定のための典型的な検定においては、N-Pyd の増加濃度を含むN-Pyd 標準を、N-Pyd 濃度の標準曲線を作成する目的をもって、ウェルの幾つかに2 連で添加する。次に40までのサンプルを2 連で残りのウェルに添加し、そして次にそのウェルを先のように検定する。標準曲線をN-Pyd の尿中濃度を測定するために使用する。測定された濃度を、好ましくは、尿中濃度及び体質量中の変化についてそのサンプルを標準化するために、N-Pyd/クレアチニンの比として表す。尿中クレアチニン濃度は、標準的な方法、例えば、アルカリ性ピクレートとの反応に基づくものにより、検定されることができる(Cook, 1975)。
【０１０３】
尿中のN-Pyd を測定するための検定を、先に記載したように行うが、そのサンプル中のN-Dpd の濃度を測定するためのN-Dpd 標準曲線を使用する。本検定方法が競合性アフィニティーをもってN-Pyd 及びN-Dpd に結合する抗体試薬によりN-Pyd とN-Dpd との合計を測定する場合、一旦、N-Pyd 及びN-Dpd についての抗体試薬の相対的アフィニティーが確立されれば、N-Pyd 又はN-Dpd のいずれか1 つに基く標準曲線がその方法において十分なものであることが理解されよう。
【０１０４】
実施例8 は、先のセクションII.B.1中に記載されたPyd XXV-3G6-3B11-1A10 細胞により産生されたN-Pyd に特異的なモノクロナール抗体を使用して本発明に従って尿中ピリジニウム・レベルを検定するための典型的な手順を説明している。この検定は。2 つの96ウェル・マイクロタイター・プレート内で行い、それぞれのプレート内の12ウェルを6 の N-Pyd標準の2 連サンプルのために使用し、そしてそれぞれのプレート内の44ウェルを閉経後女性からの22の2 連尿サンプルのために使用する。上記6 のN-Pyd 標準から作成されたN-Pyd についての標準曲線を、それぞれの未知のサンプルについて、その検定抗体と免疫反応性であるサンプルのピリジニウム架橋の(nM における) 濃度を計算するために使用した。先の表1 からのデータは、測定されたピリジニウム濃度が、N-Dpd からのほんの僅かな寄与を伴って、そのサンプル中のN-Pyd をほとんど完全に原因とすることを示している。
【０１０５】
上記44サンプルからの測定されたピリジニウム架橋濃度を、HPLCにより測定された全H-Pyd 濃度に対してプロットし、図2 中に示す散乱プロットを与えた。この図中の最適適合回帰線は、等式 y = -10.407 + 0.40310x により与えられる。これ故、この検定おいて測定されたピリジニウム架橋濃度は、0.3-0.5 間の勾配、特にこのデータのセットにおいては、0.403 の勾配を伴う線形関係により、サンプル中の全加水分解ピリジノリンの濃度に関係する。測定されたピリジニウム架橋濃度と全H-Pyd との間の線形関係、及びその2 つの間の高い相関(r=0.982) は、測定されたピリジニウム架橋レベルからその検定における全Pyd 値の正確な測定を可能にする。
【０１０６】
本検定において測定されたN-Pyd レベルが、分解が生じるときコラーゲン誘導架橋を生成する組織の代謝状態の決定のための係数を提供するために使用されるとができるということが理解されよう。先に討議したように、様々な異常又は病因学的骨代謝症状は、ヒト尿サンプル中のN-Pyd 及び全Pyd の両方における変化により、特徴付けられる。さらに、N-Pyd における変化は、同様に、N-Dpd における変化の良好な尺度を提供する。この後者の点は、以下の表4 中のデータにより説明される。この表は、様々な尿サンプル中の精製されたN-Pyd 及びN-Dpd 架橋からHPLCにより測定された、N-Pyd 及びN-Dpd のレベルを示している。
【０１０７】
【表５】
2005010174.tif 000008
【０１０８】
これらの結果は、結合組織の過剰な破壊を特徴とする疾患を患うていると知られた患者における遊離架橋の劇的に上昇したレベルを示している。
【０１０９】
表5 は、様々なの患者群における加水分解後に測定された反応性の全架橋のパーセンテージとしてのN-Pyd 及びN-Dpd の割合を示している。
【０１１０】
【表６】
2005010174.tif 000009
【０１１１】
表5 中に見られるように、( 全Pyd のパーセンテージとしての)N-Pyd及び( 全Dpd のパーセンテージとしての)N-Dpdのパーセンテージは、対照と比べたとき異常症状をもつ患者において相対的に変化がなく、尿中で測定されたN-Pyd レベルは、その尿の加水分解後に測定された全H-Pyd レベルが表す(reflect) のとコラーゲン分解における同一の増加を表し; そして同様に、尿中で測定されたN-Dpd レベルは、全H-Pyd レベルが表すのとコラーゲン分解における同一の増加を表す。
【０１１２】
V.  尿サンプルの前- 濾過
他の態様においては、本発明は、尿中分析物の定量のための検定を含む。この検定においては、尿サンプルを、分析物が通過するのを許容しながら、抗体に非特異的に結合する物質を除去するのに有効である膜を通して濾過する。濾過されたサンプルを、そのサンプル中の分析物の量に比例してその固体支持体にその抗体を結合させるのに有効な条件下で、その分析物との抗原- 抗体複合体を形成させるのに有効な結合試薬( 結合分子) と、反応させる。
【０１１３】
本法は、尿サンプル中に変化量において存在する物質がイムノアッセイの感度、精度(precision) 、及び正確さ(accuracy)を妨害することができるという発見に基く。妨害物質( 単数又は複数) は、個体から個体まで変化し、そして同一の個体から得られた異なるサンプルにおいて変化することもできる。
【０１１４】
本発明に従えば、妨害物質( 単数又は複数) は、(i) 選択された閾量を下回るサンプル中の妨害物質( 単数又は複数) のレベルを減少させるために適切である結合能力、及び(ii)問題の分析物についての低いアフィニティー、すなわち、サンプル処理後の分析物の濃度がサンプル処理前と本質的に同じであること、を特徴とする分離媒体( 例えば、フィルター膜) と尿サンプルとを接触させることにより、除去されることができる。この分離媒体のための他の望ましい特徴は、操作の迅速性及び小さな保持容量を含む。
【０１１５】
分離媒体として使用することができる材料は、その分析物の性質に従って変化し、そしてニトロセルロース- ベース材料、疎水性/高タンパク質- 結合材料、及び帯電親水性材料を含む。この媒体の形態(configuration) は、様々な形態であってストリップ、ビーズ、カートリッジ、フィルター・ディスク、又は例えば、スピン濾過装置含むものを呈することができる。妨害物質の除去における分離媒体の効力は、以下に記載する方法により評価されることができる。
【０１１６】
1 つの好ましい態様においては、実施例13-14 に説明するように、この分離媒体は、速いサンプルの通過を提供するスピン濾過装置として形状化される。あるいは、この分離媒体は、結合するための選択された時間にわたりサンプル中に置かれ、そしてこれにより、そのサンプルからその妨害物質を除去されることができる。本発明の支援において行われた研究は、その分離媒体が膜の形態を呈する場合、小さな孔サイズ( 例えば、約0.45μm 未満、及び好ましくは約0.1 μm 未満) が、その妨害物質についての膜の結合能力を増加させることができるということを、示唆する。
【０１１７】
上記分離媒体及びその下でその分離媒体が使用される条件は、検定される特定の分析物にあつらえられる。一般的には、最初に、その分析物についての低いアフィニティー又はその妨害物質( 単数又は複数) についての高いアフィニティーのいずれかに基き候補の分離材料をスクリーンすることが有用である。
【０１１８】
分析物の特定の分離媒体への結合は、分析物の既知レベルを含む1 以上の標準的な溶液を使用して評価されることができる。好ましくは、非尿溶液を、上記妨害物質( 単数又は複数) の効果を回避するために使用する。上記の標準的な溶液を、上記の分離媒体と接触させ (例えば、濾過させ) 、そしてその分析物を、いずれかの分析物がその分離媒体に結合されたかどうかを決定するために検定する。他のアプローチにおいては、上記妨害物質( 単数又は複数) を含む尿サンプルの分析物- 含量を、その妨害物質により影響されない分析方法( 例えば、HPLC) を使用して測定する。その分離媒体とそのサンプルとの接触後に測定された分析物のレベルの変化の存在は、その媒体のさらなる特徴付けが保証されるということを示している。
【０１１９】
特定の分離媒体による妨害物質( 単数又は複数) の捕獲は、多数のアプローチにより評価されることができる。例えば、分析物を測定するために使用するイムノアッセイは、その分析物の存在の有無にかかわらず、その妨害物質の存在を報告する検定を提供するために修飾されることができる。図12中に説明するように、妨害物質は、分析物- 特異的抗体の非存在中、マイクロタイター・プレートの固体支持体にリポーター- 標識抗- 抗体の結合のレベルを測定する検定を使用して検出されることができる。この固体支持体への抗- 抗体のこのような非特異的結合を引き起こす尿サンプルを、次に、そのサンプルにより引き起こされるこのような非特異的結合を減少させ又は削除するための候補の分離媒体の有効性を評価するために使用することができる。
【０１２０】
一旦、妥当な分離媒体が同定されれば、その材料の組成及び結合能力を、その分析物のイムノアッセイの要求に従って最適化することができる。
【０１２１】
典型的には、この分析物を競合形式において検定し、ここで、その尿サンプルを、リポーター- 標識競合分析物の存在中で分析物- 特異的抗体試薬と反応させ; 抗体試薬と競合分析物との間に形成される免疫複合体の量は、その尿サンプル中に存在する分析物の量に逆比例する。普通には、分析物- 特異的抗体試薬又はリポーター- 標識競合分析物のいずれかを、表面- 付着結合分子として、固体支持体上に固定化する。あるいは、サンドイッチ検定形式を使用する。ここでは、分析物を結合させるための第一抗体を、固体支持体上に固定化し、そしてリポーターにより( 例えば、酵素- 標識抗- 抗体)により標識付けされる又はされることができる第二抗体を、その第一試薬に結合される分析物を検出するために、使用する。
【０１２２】
代表的なイムノアッセイにおける妨害物質の効果を、表6 中に示すデータにより説明する。これらのデータは、分析物としてN-Pyd による、図1 中に説明するイムノアッセイ形式を使用して得られる。実施例11中に詳説するように、ニトロセルロース・フィルターとの接触の前後の6 の尿サンプルのアリコットを検定し、そしてそれぞれのサンプル中の分析物の見かけのレベルを1 セットのN-Pyd 標準溶液から得られたデータとの比較により測定した。
【０１２３】
【表７】
2005010174.tif 000010
【０１２４】
表6 から分かるように、N-Pyd の測定濃度は、ニトロセルロース・フィルター・ディスクを介しての妨害物質の除去後約7-45パーセント程増加し、これは、サンプル間の妨害の程度における広いバラツキを示している。その上、濾過サンプルにより得られた分析物の濃度は、HPLCにより測定されるとき、サンプル中のN-Pyd 濃度と高く相関し、これは、妨害物質によるサンプルのバラツキが分離媒体との接触により大きく取り除かれることを示している。
【０１２５】
実施例12中に記載する研究において、妨害物質が、添加された抗- 分析物抗体の非存在中固体支持体への酵素標識抗- 抗体の結合を仲介物質することが示される。44の尿サンプルを抗- 分析物抗体の非存在中実施例8 中に記載するN-Pyd のための検定形式を使用して評価した。テストされた44サンプルの中で、8 つが0.02吸収ユニットを上回る光学密度の読みを作り出し、これは、固体支持体への酵素標識抗体の直接的な非-Pyd- 特異的結合を仲介する物質( 単数又は複数) の存在を示している。固体支持体への抗体のこの非分析物- 特異的結合は、他のリポーター- 標識抗- 抗体、例えば、ウサギ抗- マウス抗体によっても観察される。
【０１２６】
表7 は、スピン- フィルター装置内のニトロセルロース膜を通してのサンプルの通過の前後の、実施例12からの8 のやっかいな尿サンプルにより得られた( 実施例13) 。この表は、先の濾過によらず、テストされた尿サンプルは、0.36〜0.101 の吸収ユニットのレンジにある光学密度の読みを生じさせたことを示している。しかしながら、尿サンプルがニトロセルロース膜を通してのスピン- 濾過されたとき、光学密度の読みは、そのサンプルのすべてについて0.02吸収ユニット未満に減少された。これ故、ニトロセルロース膜は、固体支持体への抗- 抗体の非特異的結合が実質的に減少されるような妨害物質を除去するために有効である。
【０１２７】
【表８】
2005010174.tif 000011
【０１２８】
このような非特異的結合の発生が検定される特定の分析物に依存しないことが理解されよう。それ故、本発明に従って、妨害物質( 単数又は複数) を除去するための尿サンプルの濾過が、多種多様な分析物についてのイムノアッセイにおいて使用されることができる。
【０１２９】
表8 及び9 は、尿サンプルからの妨害物質( 単数又は複数) の除去において有用であることが見つかった3 つの分離媒体の比較効果を説明している( 実施例14) 。表8 は、濾過前後の16の尿サンプルにより得られた光学密度の読み(OD)を示している。表から分かるように、濾過前のサンプルについての光学密度の読みは、0.0 〜0.905 吸収ユニットのレンジにある( 第二列) 。しかしながら、Immobilon(商標)-CD(CD)及びImmobilon(商標)-PSQ(PSQ)フィルターを通してのサンプルのスピン- 濾過は、ニトロセルロース(NC)により得られた結果と同様に、ゼロまでそのサンプルの光学密度の読みを減少させた(3-5列参照) 。
【０１３０】
【表９】
2005010174.tif 000012
【０１３１】
【表１０】
2005010174.tif 000013
【０１３２】
表9 は、ニトロセルロース(NC)、Immobilon(商標)-CD(CD)、及びimmobilon(商標)-PSQ(PSQ)膜を通してのサンプルの濾過後に測定されたN-Pyd のレベルが互いに優れた一致状態にあったことを示している。これ故、すべての3 つの媒体が本発明に従って妨害物質を除去するのに好適である。
【０１３３】
VI. 適用
先に述べたように、コラーゲン含有組織のピリジニウム架橋含量は、組織タイプに従って変化する。Pyd 架橋は、軟骨、骨、椎間円板、靱帯、及び大動脈内に見られる。Dpd 架橋は、一般的に、Pyd 架橋よりも少なく、そして骨、歯、靱帯、及び大動脈内に見られる。組織ピリジニウム架橋中のDpd の割合は、骨において最も高いようであり、それは、約3:1 〜4:1 の間のPyd:Dpd 比をもつ。
【０１３４】
増加した尿中Dpd(及びPyd)レベルを特徴とし、そしてこれ故、骨分解の上昇速度を併発する症状は、例えば、骨粗しょう症、パジェット病、甲状腺機能低下症、骨関節炎を含む。上昇Pyd 及びDpd レベルを含む他の症状は、骨代謝を変更し又は骨組織内で確立されるようになる様々な形態の代謝性癌を含む。
【０１３５】
本発明は、N-Pyd 及びN-Dpd の上昇尿中レベルがヒトにおける増加したコラーゲン分解活性の信頼できる指標であるという発見に部分的に基く。N-Pyd の又はN-Pyd 及びN-Dpd の両方の上昇レベルの測定は、増加したコラーゲン分解の一般的な指標として役立つ。本発明に従ったDpd-特異的抗体を介しての尿中N-Dpd の測定は、骨の上昇分解についての相対的に特異的なマーカーとして役立つ。
【０１３６】
本発明は、先に記載した症状の管理に関連した抗再吸収療法の監視においても有用である。
さらに、N-Pyd についての検定がN-Dpd についての検定との組み合わせにおいて使用される場合、本発明は、Dpd 架橋の割合が骨中に見られる割合よりも(Pyd架橋に対して) 実質的に小さいコラーゲン- 含有組織の破壊に関連する顕著な症状に有用である。例えば、リウマチ様関節炎においては、Dpd 架橋において相対的に低い結合組織の破壊に関連するようであり、尿中のN-pyd 体N-Dpd の比は、増加した骨分解単独により観察される比に比べて上昇される。
【０１３７】
図3 は、転移癌患者からの尿サンプル中の上昇N-Pyd レベルの検出のための、図1A-1C 中に示す検定形態におけるPyd-特異的抗体試薬の使用について説明している。この図の左の上に示した点の列は、健康な被験者の群内で測定された(Pyd/ クレアチニンとして表された)N-Pydのレベルである。この図の右の上に示した点の列は、転移癌をもつと診断された患者において測定されたN-Pyd レベルである。このデータは上昇したN-Pyd レベルをもつ患者を現し、これは、その患者の腫瘍学的症状における類似の骨関連を示している。
【０１３８】
図4 は、骨粗しょう症患者からの尿サンプル中の上昇N-Pyd レベルを検出するためのPyd-特異的モノクロナール抗体試薬の使用について説明している。図の右の上の点の列( 群3)は、27の対照被験者( 年齢70-90)の群内で測定された(Pyd/ クレアチニン比として表された)N-Pydレベルである。点の中央の列は、明白又は疑いのある骨粗しょう症をもつ20の患者( 年齢71-99)において測定されたN-Pyd レベルである( 群2)。左の上の点の列( 群1)は、重度の骨粗しょう症関連大腿頸部骨折をもつ30の患者において測定されたN-Pyd レベルである。このデータは、年齢を合わせた対照群( 群1)に比較して、骨粗しょう症患者群の両方(2及び3)における尿中N-Pyd の上昇レベルを示している。
【０１３９】
尿中Dpd の上昇レベルの検出のための、本発明に従うDpd-特異的モノクロナール抗体の使用を、図5 中に説明する。この試験においては、N-Dpd の検出に改良した、図1A-1C 中に示す検定形態を使用した。この図中に左手内の点は、健康な患者の群についての(Dpd/ クレアチニン比として表された) 測定Dpd レベルである。この図中の中央の列内に点は、診断された骨代謝失調をもつ患者を含む患者集団から測定されたDpd レベルである。この図内の点の右手の列は、腫瘍学的患者の群についての測定されたDpd レベルである。このテストは、上昇されたDpd レベルをもつ患者、すなわち、その腫瘍学的症状がおそらく骨関連を含むような患者を、同定する。
【０１４０】
図6 は、骨粗しょう症のための治療下の女性におけるDpd-特異的モノクロナール抗体の使用について説明する。この研究においては、Dpd レベルは、治療前( 図中の白棒) 及びエストロゲン療法の1 年後( 網棒) に測定した。患者の中の7 人において、Dpd レベルにおける測定可能な降下が治療伴い観察され、これは、この治療が骨再吸収における望ましい減少を作り出していることを示している。治療によりDpd レベルが上昇した残る2 つのケースにおける結果は、別の治療が考慮されるべきであることを示すことができる。
【０１４１】
これまでの記述から、本発明の目的がどのように適合するかを理解することができる。生来の遊離の架橋検定は、非- 加水分解尿サンプルをもって使用されることができ、これにより、初期の酸加水分解段階の必要性を回避する。本検定は、抗体試薬を使用し、そしてこれ故、本分野において公知の多数の便利且つ速い検定形式に改良されることができる。その上、尿サンプル中の、生来のPyd 、Dpd 、又は両方のレベルの評価を提供することにより、本発明は、様々なコラーゲン- 関連の病因学的状態を検出及びモニターするために使用されることができる。
【０１４２】
以下の実施例は、本発明に従う抗体試薬の製造方法及び検定法について説明する。これらの実施例は、例示的であり、いかなる方法においても、本発明の範囲を限定することを意図されない。
【実施例】
【０１４３】
実施例
材料及び方法
グルコース-6- ホスフェート・デヒドロゲナーゼ(G6PDH、Leuconostoc mesenteroides 由来; ε(280nm, 1%) = 1.15ml/mg ・cm; 硫酸アンモニウム中の懸濁液) 、グルコース-6- ホスフェート(G6P) 、及びニコチンアミド・アデニン・ジヌクレオチド(NAD) をBoehringer Mannheim から購入した。5,5'- ジチオビス(2- ニトロ安息香酸)(DTNB)、システイン・ヒドロクロリド、N-スクシンイミジルS-アセチルチオアセテート(SATA)、スルホスクシンイミジル4-(N- マレイミドメチル) シクロヘキサン-1- カルボキシレート(sulfo-SMCC)、1-エチル-3-(3-ジメチルアミノ- プロピル) カルボジイミド-HCl(EDC) 、及びN-スクシンイミジル3-(2- ピリジル- ジチオ) プロピオネート(SPDP)をPierce(Rockford, IL)から購入した。p-ニトロフェニルホスフェート錠剤( 各20mg) 、N-エチル・マレイミド(NEM) 、及びジエタノールアミンをSigma から購入した。透析チューブをSpectrum Laboratoriesから購入した。マイクロタイター・プレート(96-ウェル)をNunc及びCostar Corp から購入した。マイクロタイター・プレート内の溶液の吸収値をMolecular Devices Corp.(Menlo Park, CA) からのV-Max マイクロプレート・リーダーを使用して測定した。試薬の遅い一滴ずつの添加を、LKB からのMicroperplex蠕動ポンプ#2132 を使用して行った。
【０１４４】
A.  モノクロナール抗体のための試薬
雌の自己免疫性MRL/MpJ-lpr マウスをJackson Laboratory, Bar Harbor, Maine から購入した。
マウス非- 分泌性P3X63Ag8.653ミエローマ細胞、並びにマウス単球- マクロファージ細胞系P388D1(IL-1)及びJ774A.1 をAmerican Type Culture Collection (ATCC), Rockville, Marylandから購入した。
【０１４５】
アジュバントRibi及びRibi(CWS) をRIBI Immunochem Research, Inc., Hamilton, Montana から購入した。50% PEG 1500( ポリエチレン・グリコール1500、水中の50%(W:V)) をBoehringer Mannheim, Indianapolis, Indianaから購入した。HAT 及びHTをSigma Chemical Company, St. Louis, Missouri から購入した。Dulbecco's Modified Eagle Medium(DMEM)、NCTC-109、及びゲンタマイシンをGibco, Grand Island, New York から購入した。Fetal Cloneウシ血清はHyclone Laboratories, Inc., Logan, Utah からのものであった。オキサロ酢酸及びインシュリンは、Sigma Chemical Companyからのものであった。S-DMEMを以下のように配合した。ここで、パーセンテージは、最終培地中の最終容量パーセンテージを示す: DMEM(80%) 、NCTC-109(10%) 、Fetal Cloneウシ血清(10%) 、オキサロ酢酸(1mM) 、L-グルタミン(2mM) 、ゲンタマイシン(50 μg/ml) 及びインシュリン(10 μg/ml) 。
【０１４６】
ならし培地の調製のために、マウス単球細胞系P388D1(IL-1)、又は交換可能な状態で、細胞系J774A.1 をS-DMEM培地中で培養し、1 週間に2 回1:4 に分けた。3 日間毎に、組織培養上清を0.2 ミクロン・フィルターを通して濾過し、そして次に4mM L-グルタミンを補った。得られた濃縮ならし培地をS-DMEMのための20% 補足物として使用し、ハイブリドーマ細胞を生じさせた。
【０１４７】
特にことわらないかぎり、PBS は、0.01M 燐酸塩及び150mM NaClを含むバッファー、pH 7として定義される。
【０１４８】
実施例1
架橋のHPLC測定
Pyd及びDpd についてのHPLC分析を本質的にBlack et al. (1988)により記載されたように行った。簡単に言えば、尿サンプルをブタノール及び氷酢酸により調整し、4:1:1 混合物( ブタノール: 酢酸: サンプル、v:v:v)を作り、そしてCF1 セルロース(Whatman) カートリッジ上に適用し、その後、4:1:1 ブタノール: 酢酸: 水により洗浄した。遊離の架橋( 及びglyco-Pyd)だけが保持された。この遊離の架橋を水によりCF1 セルロースから溶出させた。溶出した材料を1ml/分において流され、そして295nm の励起、395nm の放射における蛍光をモニタリングされる水- アセトニトリル(10 分間にわたる3-17%)グラジエントを使用してC18 逆相カラム(Rainin, C18-80-200-C3) 上で分析した。移動相は、0.1%HFBAを含んでいた。
【０１４９】
全尿中架橋を110 ℃においてHCl 中で16時間尿サンプルを加水分解し、その後、先のCF1 処理及びHPLC分析することにより測定した。HPLC分離は、加水分解されたPyd 及びDpd 分画を産生し、これから、全H-Pyd 及び全H-Dpd を定量した。
【０１５０】
実施例2
架橋の精製
ヒト尿を40psi の背圧を加えて3000 D分子カット- オフ・フィルター(Filtron Co.)を通して濾過した。次に濾液を凍結乾燥させ、そして0.2M酢酸により元の容量の1/20に再構築した。
次に濃縮尿を0.2M酢酸により平衡化したSephadex(商標) G-10 2.6 x 95 cm カラム上に適用した。このカラムから抽出された材料を先に記載したように遊離のPyd 及びDpd について分析した。遊離架橋含有画分を共にプールし、pH 2.0に調整し、そして 1 x 18 cmカチオン交換カラム(Lacarte Co., UK) 上に適用した。
【０１５１】
Glyco-Pyd 、N-Pyd 及びN-Dpd をその後、0.1Mクエン酸ナトリウムpH 4.2によりそのカラムから溶出させた。集めた画分を先にようなHPLC分析により架橋の存在について分析した。特定の架橋(glyco-Pyd、Pyd 及びDpd)を含む画分を共にプールし、そして分析用2.5 x 10 cm 逆相C18 カラム(Waters)上に適用し、これをその後0.1% HFBA を含むアセトニトリルの2-20% グラジエントにより展開させた。分離された画分(N-Pyd及びN-Dpd)を別々に集め、そして凍結乾燥により濃縮した。この乾燥残渣を0.2M酢酸中で再構築し、そして4 ℃において保存した。最終材料の純度を重量計及び元素分析により測定した。
【０１５２】
尿中架橋- ペプチドを、1000 D分子量カット- オフ透析膜(Spectra Por(商標)) を使用してヒト尿の消費的透析により調製した。このペプチド画分の全Pyd 架橋及び全Dpd 架橋含量を、6N HClにより110 ℃において16時間ペプチド・サンプルを加水分解し、その後の全H-Pyd 及び全H-Dpd のHPLC分析により、測定した。
H-Pyd 及びH-Dpd の調製的な量を、Black et al. (1988) により記載されているように加水分解された粉末ウシ又はヒツジの骨から得た。
【０１５３】
実施例3
免疫原の調製
以下の手順は、生来の遊離のピリジノリン、生来の遊離のデオキシピリジノリン、又は両方に対するモノクロナール又はポリクロナール抗体を得るための免疫原がどのように調製されることができるかについて説明する。以下のA 及びB 中の手順は、H-Pyd-免疫原に関して記載されており; H-Dpd-免疫原は、H-Pyd の代わりのH-Dpd により、同一のアプローチを使用して調製される。
【０１５４】
A.   H-Pyd-BSA免疫原
0.1 M MES 中の9mg のウシ血清アルブミン(BSA) 及び3.8mg のH-Pyd 、pH 5.0から成る3.1 mlの溶液に、88mgのEDC を含む0.88 ml の水溶液を添加した。室温において4 時間反応させた混合物を次に燐酸塩バッファー生理食塩水pH 7.0(PBS) に対して消費的に透析した。UV及び蛍光測定は、1 モルのアルブミン当たりに置換された5.8 モルのピリジノリンを示した。
【０１５５】
B.  H-Pyd-KLH 免疫原
pH 5±0.5 に調整した水中の乾燥H-Pyd(6mg)の溶液(200μl)に、PBS 中のKeyhole limpetヘモシアニン(KLH) の10mg/ml 溶液の2ml を添加した。この混合物に、30mgの固体1-(3- ジメチルアミノプロピル)-3-エチルカルボジイミド(EDC, Pierce) を添加し、そして10分間後、別の30mgのEDC を添加し、そしてその反応を室温において4 時間進行させた。次にこの反応混合物をPBS に対して消費的に透析し、その後、このH-Pyd-KLH 免疫原を集め、そして保存した。
【０１５６】
実施例4
抗-Pydモノクロナール抗体の調製
A.  免疫感作プロトコール
雌の生後5 週間の自己免疫性MRL/MpJ-lpr マウスを以下のプロオトコールを使用して免疫感作させた:
【０１５７】
【表１１】
2005010174.tif 000014
【０１５８】
融合の日に、免疫感作マウスをCO2 により殺し、そしてその脾臓をそのマウスから切除し、そして37℃に余熱した5ml の血清不含DMEM培地を含む培養皿内に入れた。脾臓に付着した脂肪組織の除去後、その脾臓を5ml の血清不含DMEM培地により洗浄した。次に、この脾臓を小片に切断し、これを、7ml の血清不含DMEM培地を含む細胞ホモゲナイザー内に入れ、そしてその細胞を均質化し、細胞懸濁液を作った。
【０１５９】
B.  融合プロトコール
以下の段階を室温において行った。
上記の脾臓細胞懸濁液( 血清不含DMEM培地中の〜2 x 108 細胞) 及び対数期のP3X63Ag8.653ミエローマ細胞( 血清不含DMEM培地中の〜7 x 107 細胞) を、400xg において10分間独立して遠心分離した。得られた細胞ペレットを50mL遠心分離管内の血清不含DMEM培地(10ml)中に一緒に懸濁させ、そして次に、10分間400xg において遠心分離した。この上澄液を完全に取り去り、そのその遠心分離管を叩きその細胞ペレットをほぐした。
【０１６０】
細胞融合のために、50% PEG 1500の溶液(4ml) を90秒間にわたありピペットにより穏やかに混合しながら上記の管に滴下した。次に、血清不含DMEM(4ml) を1 分間にわたり滴下した。S-DMEM(40ml)を次に穏やかに混合しながら2 分間にわたり添加し、その後、その混合物をさらに2.5 分間にわたりピペットにより混合した。得られた混合物を400xg において10分間遠心分離した。その上清の完全な除去後、その細胞を20% P388D1- ならしS-DMEM培地中のHAT の320ml 中に懸濁させた。この細胞懸濁液を16の96- ウェル培養プレート中内にプレートし、200 μl/ウェル、そしてこのプレートを次に7% CO2を含む雰囲気中で37℃においてインキュベートした。この細胞混合物を、3 及び7 日目に、100 μl/ウェルの古い培地を取り出し、そして150 μl/ウェルのHAT 培地(3日目) 又はHT培地(7日目) のいずれかを添加することにより、飼養した。これらのウェルを融合の7 〜10日後にスクリーンした。
【０１６１】
C.  抗-N-Pydモノクロナール抗体の調製のためのハイブリドーマのスクリーニング
首尾よい融合生成物を実施例8 中に記載するようなN-Pyd イムノアッセイ形式を使用して免疫反応性についてスクリーンした。N-Pyd への高いアフィニティー結合を示した細胞系を限界希釈法によりサブクローン化し、そしいさらに、N-Pyd についての高い結合アフィニティーをもつ抗体の産生についてスクリーンした。N-Pyd のついての高い抗体アフィニティーを与えたサブクローン化細胞系の中の1 つを、本明細書中、Mab Pyd-XXV-3G6-3B11-1A10 と命名する。この細胞系により産生された抗体の特異性は先の表1 中に示されている。
【０１６２】
実施例5
抗-Dpdモノクロナール抗体の調製
抗-Dpdモノクロナール抗体を、実施例3 におけるように調製したH-Dpd-KLH 免疫原を使用して、実施例4 中に記載したて手順により調製した。マウスの免疫感作手順は、実施例4 におけるものと同じである。但し、Ribi(CWS) をRibiの代わりのアジュバントとして使用し、マウス当たり75μg の免疫原を、100 μg の代わりに第四免疫感作段階( 融合から18日目) において使用した。
【０１６３】
首尾よい融合生成物を実施例9 中に記載するN-Dpd イムノアッセイ形式を使用して免疫反応性についてスクリーンした。N-Dpd への高いアフィニティー結合を示した細胞系を限界希釈法によりサブクローン化し、そしいさらに、N-Dpd についての高い結合アフィニティーをもつ抗体の産生についてスクリーンした。N-Dpd のついての高い抗体アフィニティーを与えたサブクローン化細胞系の中の1 つを、本明細書中、Mab Dpd-II-7B6-1F4-1H11 と命名する。この細胞系により産生された抗体の特異性は先の表2 中に示されている。
【０１６４】
実施例6
N-Pyd 及びN-Dpd の両方に特異的なモノクロナール抗体調製
N-Pyd 及びN-Dpd の両方に特異的なモノクロナール抗体を、免疫原としてH-Dpd-KLH(実施例3)を使用して、実施例5 中の手順により調製した。首尾よい融合生成物を実施例9 中に記載するN-Dpd イムノアッセイ形式を使用して免疫反応性についてスクリーンした。N-Dpd への高いアフィニティー結合を示した細胞系を限界希釈法によりサブクローン化し、そしいさらに、N-Pyd 及びDpd の両方についての高い結合アフィニティーをもつ抗体の産生についてスクリーンした。N-Pyd 及びDpd の両方についての高い抗体アフィニティーを与えたサブクローン化細胞系の中の1 つを、本明細書中、Mab Pyd/Dpd-V-6H2-2H4-1E4 と命名する。この細胞系により産生された抗体の特異性は先の表3 中に示されている。
【０１６５】
実施例7
H-Pyd-ストレプトアビジン及びH-Dpd ストレプトアビジンの調製
ストレプトアビジンへのH-Pyd の結合を、カップリング剤、SMCCを介してH-Pyd にチオール化ストレプトアビジンをカップリングさせることにより達成した。チオール化ストレプトアビジンを以下のようにN-スクシンイミジル-3-(2-ピリジルジチオ) プロピオネート(SPDP, Pierce)と反応させることにより製造した。PBS 中の5mg のストレプトアビジンの0.75ml溶液に、260 μg のSPDPを含むジメチルホルムアミド21μL を添加した。この混合物を室温において1 時間反応に供し、そして次にPBS に対して透析した。SPDP- 標識ストレプトアビジンを10mMの最終濃度までジチオトレイトールを添加することにより減少させた。室温において1 時間のインキュベーションの後、このチオール化ストレプトアビジンをG-25カラム上で精製した。
【０１６６】
H-Pyd-ストレプトアビジンを作るために、ジメチルホルムアミド(4μl ) 中にスクシンイミジル4-(N- マレイミドメチル) シクロヘキサン-1- カルボキシレート(SMCC, Pierce)の180 μg を含む溶液を、100 μl のPBS 中に0.5mg のチオール化ストレプトアビジン及び50μg のH-Pyd を含む溶液に添加した。この混合物を室温において3 時間反応させ、そして次にPBS に対して透析した。得られたPyd-ストレプトアビジンの分光光度計分析は、スチレプトアビジンの1 当量当たりに結合した1 〜2 当量の間のピリジノリンを示した。
H-Dpd-ストレプトアビジンを上記と同一の手順によりにより調製した。但し、H-Dpd をH-Pyd の代わりに使用した。
【０１６７】
実施例8
抗-Pydモノクロナール抗体試薬を使用したイムノアッセイ
A.   H-Pyd- コート・マイクロタイター・プレート
ビオチン- 標識卵白アルブミン及びH-Pyd-ストレプトアビジン( 実施例7)をそのマイクロプレート・コーティングにおいて使用した。
卵白アルブミンのビオチニル化を、400μlのジメチルホルムアミド中の10mgのビオチン-x-2,4- ジニトロフェニル-X-L- リジン、スクシンイミジル・エステル(Molecular Probes)を150mg の卵白アルブミンを含むPBS の10ml溶液に添加することにより、行った。この混合物を室温において2 時間反応させ、その後G25 カラム・クロマトグラフィーにかけた。分光光度計による分析は、1 モルの卵白アルブミン当たりに置換された2 つのビオチンを示した。
【０１６８】
96- ウェル・マイクロタイター・プレート内のウェルを以下のようにN-Pyd によりコートした。それぞれのウェルに、PBS 中3.8 μg/mlにおいてビオチン- 卵白アルブミンの150μlを添加し、その後2-8 ℃において一夜インキュベーションを行った。このウェルをPBS により洗浄し、そして1mg/mlにおいて200 μl の卵白アルブミンを添加することによりブロックし、そして室温において一夜インキュベーションを行った。次にそのウェルをPBS により2 回洗浄した。PBS 中100 μg/mlにおいてH-Pyd-ストレプトアビジンを含む溶液の150 μl をビオチン- 卵白アルブミン・コート・マイクロプレートの各ウェルに添加した。室温における1 時間のインキュベーションの後、そのウェルをPBS により2 回洗浄した。残りの液体を37℃において対流において一夜乾燥させることによりそのウェルから除去した。
【０１６９】
B.  検定プロトコール
N-Pyd 標準溶液及び尿サンプルを2 連でテストした。この標準溶液は、検定バッファー(PBS中、0.05% NaN 3 、0.05% Tween 20、及び0.1% BSA) 中の0nM 、25nM、75nM、250nM 、750nM 、及び3000nMのN-Pyd から成っていた。尿サンプルを、検定に先立って遠心分離( スピン濾過) によりニトロセルロース膜を通して濾過した。
先に調製したマイクロタイター・プレートを使用して、20μl/ウェルの標準溶液をコートされたプレート内の96ウェルの中の12に2 連で添加し、そして44尿サンプルの中のそれぞれの20μl / ウェルを2 つのマイクロタイター・プレートのウェルに2 連で添加した。
【０１７０】
検定バッファー(PBS中、0.05% NaN 3 、0.05% Tween 20、及び0.1% BSA) 中の100 μl/ウェルのMAb 3G6-3B11-1A10(1:100,000 希釈)を添加した。標準又はサンプル及びMAb 混合物を4 ℃において一夜インキュベートした。100 μl/ウェルのヤギ抗- マウスIgG + M(H+L)- アルカリ性ホスファターゼ結合体(Pierce, No. 31330, 検定バッファー中1:1000希釈) をそのプレートに添加し、そして室温において1 時間インキュベートした。
【０１７１】
それぞれのウェルに、100 μL の酵素基質溶液(1mM MgCl 2 を含む、1.0 M ジエタノールアミン、pH 9.8中の2mg/mLのp-ニトロフェニルホスフェート(Sigma))に添加した。室温において30分間インキュベートした後、50μl の3.0N NaOH をそれぞれのウェルに添加し、その酵素反応を停止させた。405nm における光学密度を次にVmaxリーダー(Molecular Devices Corp.) により測定した。
【０１７２】
2 連サンプルからの光学密度リーダー(405nm) を平均し、そしてN-Pyd 標準からの平均リーダーを、OD読み対N-Pyd 濃度の標準曲線を構築するために使用した。この曲線から、それぞれの尿サンプル中の遊離のN-Pyd 架橋濃度を測定した。クレアチニン濃度をアルカリ性ピクレート関連検定を使用して測定した(Cook, 1975)。
【０１７３】
同一の尿サンプルを、実施例2 中に記載したHPLC法により全Pyd について定量した。簡単に言えば、尿サンプルをHCl(6N) 中で110 ℃において16時間加水分解し、その後、CF1 前処理及び全H-Pyd についてのHPLC分析を行った。
【０１７４】
図2 は、イムノアッセイ法(y-軸)により測定されたピリジニウム架橋(nM における) 対HPLCにより測定された全H-Pyd の散乱プロットを示す。このプロット中の線は、HPLCの全Pyd 値の関数としてイムノアッセイ値を相関させる最適線形回帰式である。
【０１７５】
実施例9
抗-Dpdモノクロナール抗体試薬を使用したイムノアッセイ
A. H-Dpd- コート・マイクロタイター・プレート
96- ウェルELISA プレートのそれぞれのウェルに、H-Dpd-ストレプトアビジン(PBS中の0.5 μg/ml) を含む100 μl の溶液を添加した。4 ℃において一夜インキュベーションした後、そのウェルを空にし、そして次に室温における少なくとも1 時間又は4 ℃における一夜卵白アルブミン(PBS中1mg/ml、150 μl/ウェル) とインキュベーションによりブロックした。インキュベーション後、このプレートをPBS により3 回洗浄した。
【０１７６】
B.  検定プロトコール
N-Dpd 標準溶液及び尿サンプルを2 連でテストした。この標準溶液は、検定バッファー(PBS中、0.05% NaN 3 、0.05% Tween 20、及び0.1% BSA) 中の0nM 、25nM、50nM、100nM 、250nM 、及び500nM のN-Dpd から成っていた。尿サンプルを、検定に先立って遠心分離( スピン濾過) によりニトロセルロース膜を通して濾過した。
【０１７７】
サンプル(10 μl/ウェル) の添加後、100 μl/ウェルの7B6-1F4-1H11モノクロナール抗体( 検定バッファーへの組織培養上清の1:1600希釈、〜10ng/ml 抗体) を添加し、そしてその検定プレートを4 ℃において一夜インキュベートした。そのプレートを300 μl/ウェルの洗浄バッファーにより3 回洗浄した後、100 μl/ウェルのヤギ抗- マウスIgG + M(H+L)- アルカリ性ホスファターゼ結合体(Pierce, No. 31330)(検定バッファー中1:1000希釈) を添加し、そしてそのプレートを室温において1 時間インキュベートした。次にそのウェルを洗浄バッファーにより3 回洗浄した。
【０１７８】
結合酵素を先に実施例におけるように検定した、それぞれの未知尿サンプルについてのN-Dpd 架橋濃度を標準曲線からの定量化により測定した。
【０１７９】
実施例10
モノクロナール抗体試薬の結合選択性
N-Pyd 、N-Dpd 、ピリジニウム- ペプチド(MW>1000) を先に記載したように尿サンプルから単離した。このピリジニウム調製物のアリコットを加水分解し、その画分中の架橋をH-Pyd 及びH-Dpd に変換させた。N-Pyd 及びH-Pyd 調製物中のPyd の濃度、N-Dpd 及びH-Dpd 調製物中のDpd の濃度、及びピリジニウム- 調製物中のDpd の濃度を、実施例1 におけるようにHPLCにより測定した。さらに、20の一般的アミノ酸の等モル混合物を含むアミノ酸溶液、PBS 中それぞれ150 μM を調製した。
【０１８０】
生来の架橋調製物及びアミノ酸混合物のアリコット(50 μl)を先のように調製したPyd-コート又はDpd-コート・マイクロタイター・プレートに2 連で添加し、そしてそれぞれのウェルを適宜実施例8 又は9 におけるようにピリジノリン又はデオキシピリジノリンについて検定した。2 連サンプルからの光学密度の読み(405nm) を平均し、そしてこれらの値から、それぞれのサンプルの見かけのN-Pyd 又はN-Dpd 濃度を精製N-Pyd 又はN-Dpd により確立された標準曲線を使用して測定した。それぞれのサンプルのパーセント反応性を、全H-Pyd について、又は全Dpd 架橋濃度の場合においては全H-Dpd について、HPLCにより測定されたサンプル中の全Pyd 架橋濃度(100倍) に対する( 標準曲線を使用した; 実施例8 及び9 参照) 見かけ濃度の比として計算した。様々な特異性をもつ抗体により得られた結果を先の表1 、2 及び3 中に与える。
【０１８１】
実施例11
ニトロセルロース・シリンジ濾過
2181、2176、2159、2167、2161、及び2172と命名された6 の尿サンプルについてテストした。それぞれのサンプルのアリコット(400μl)を直径25mmの0.45μm 孔サイズのニトロセルロース・フィルター(Millipore, Millex-HA, Bedford, MA) を通してシリンジ濾過し、そしてその濾液をチューブ内に集めた。濾過及び非濾過サンプル材料並びにN-Pyd 標準のアリコット(10 μl)を2 連で実施例8 におけるように調製した96ウェル・マイクロタイター・プレートのウェルに添加し、そしてそれぞれのサンプル中のN-Pyd の濃度をN-Pyd-選択的ポリクロナール抗体、及びアルカリ性ホスファターゼ- 標識ヤギ抗- ウサギ抗体を使用して、実施例8 中に一般的に記載したように測定した。結果を表6 中に示す。
【０１８２】
実施例12
尿サンプルにより仲介された非特異的結合の評価
尿サンプルを以下の手順により妨害材料の存在についてテストした。バッファー、N-Pyd 標準、及び44尿サンプルのそれぞれのアリコット(10 μl)を2 連で2 つの96- ウェルのマイクロタイター・プレートのウェルに入れた。実施例8 中に記載した検定手順を行った。但し、抗-N-Pyd抗体を検定バッファーにより又は希釈組織培養上清により、置換した。バッファー単独、希釈組織培養物、又はN-Pyd 標準が添加されたウェルは、0.010 未満の光学密度の読みを与えた。テストされた44尿サンプルの中で、8 が、0.02吸収ユニットを上回る読みを作り出した( 表7)。
【０１８３】
実施例13
スピン濾過による妨害物質の除去
0.02を上回る光学密度の読みを作り出した実施例12からの8 の尿サンプルを、以下のようにスピン濾過に供した。それぞれのサンプルのアリコット(200μl)を1.5 mLマイクロフュージ管内に懸濁させたニトロセルロース・フィルター・ユニット内に入れた( フィルター・ユニット及びマイクロフュージを共に" フィルター・アセンブリー" という。) 。(Lida Manufacturing Corp, Kenosha, WI により構築された) フィルター・ユニットは、その下部端において2 層のニトロセルロース膜(0.1μm の孔サイズ) 及び不織ポリエチレン支持体を含むポリプロピレンの円筒状のハウジング( 長さ40mm x 外径10mm) を含んでいた。このニトロセルロース膜の有効濾過断面積は0.2cm 2 であった。次にサンプル含有フィルター・アセンブリーを1500 x gにおいて2 分間遠心分離し、そのサンプルをそのフィルターを通して完全に通過させた。次に、そのサンプルを実施例8 中に記載したように処理したが、抗-Pyd抗体の代わりに検定バッファーを使用した。すべての8 つの濾過されたサンプルの測定された光学密度は0.02未満であった( 表7)。
【０１８４】
実施例14
スピン濾過の比較
16尿サンプルのアリコット(200μl)を、以下の膜の中の1 つを含むスピン濾過アセンブリー内で遠心分離した: ニトロセルロース(Lida Manuf. Corp, konosha, WI) 、Immobilon-CD(Millipore Corp., Bedford, MA, catalog no. ICDM-00000)、及びImmobilon-PSQ(Millipore, catalog no. ISEQ-00000)。ニトロセルロース含有フィルター・アセンブリーを実施例13中に記載したように遠心分離した。Immobilon 含有フィルター・アセンブリーをニトロセルロースを含むものと同様に遠心分離した。但し、Immobilon 膜は、2 層よりもむしろ1 層であり、0.1 μm の孔サイズをもっていた。
濾過及び非濾過尿サンプルのアリコット(10 μl)を2 連で実施例8 におけるように調製した96ウェルのマイクロタイター・プレートのウェルに添加した。実施例8 中に記載した検定手順を行った。但し、抗-N-Pyd抗体を検定バッファーにより置き替えた。尿サンプルにより作り出された光学密度の読みを表8 中に示す( すべての値は、バッファー単独の吸収を差し引くことにより補正された。) 。N-Pyd 標準により確立された換算曲線を使用して同一サンプル中で測定されたN-Pyd 濃度を表9 中に示す。
【０１８５】
実施例15
カルボジイミドを使用したピリジノリン-G6PDH結合体の調製
硫酸アンモニウム沈降からの沈降したG6PDH(110,000 MW)(Boehringer Mannheim)を、12,000 rpmにおける5 分間の遠心分離により集めた。多数のペレットのアリコットのそれぞれに、150mM NaCl(PBS) を含む0.1 M 燐酸塩中の加水分解Pyd 又はDpd(15、23、又は150mM 保存溶液) 、pH 7.5を、モル比(80:1 、130:1 、又は200:1 の(Pyd又はDpd 対G6PDH)) において、添加し、そして得られた混合物を混合した。その混合物中のG6PDH の最終濃度は20mg/ml であった。
乾燥EDC の選択量を上記溶液に添加した後(170:1、290:1 又は460:1 のEDC 対G6PDH のモル比) 、得られた混合物を4 ℃において一夜反応に供した。それぞれの反応混合物からの得られたPyd-標識G6PDH を0.01 M PBS、pH 7.0を溶出バッファーとして使用してSephadex G-25 カラム上で、又は0.01 M PBS、pH 7.0に対する透析により、精製した。それぞれの結合体中のPyd 対G6PDH の比を、280nm (G6PDH, ε(280 nm, 1%) = 1.15 ml/mg ・cm) 及び326nm (Pyd, ε(326 nm) = 5420ml/mmol・cm, pH 7; 又はDpd ε(326 nm) = 4933ml/mmol・cm, pH 7) における吸収に基づき計算した。この結合対を-20 ℃において50% グリセロール中に保存した。1:130:290 の比におけるG6PDH 、Pyd 、及びEDC は、G6PDH の1 分子当たり約8.8 のPyd 分子により標識付けされたG6PDH を与えた。
【０１８６】
実施例16
Sulfo-SMCC及びSATAを使用したピリジノリン-G6PDH結合体の調製
チオール化G6PDH を以下のように調製した。G6PDH(2mg/mL) 及び5 モル当量のNAD + を含む溶液を0.1 M PBS, pH 7.5 中で調製した。この溶液に、(10.5 μL)の無水ジメチル・スルホキシド中に溶解した25モル当量のSATAを添加した。室温において45分間の反応期間の後、30モル当量のNH2 OH・HCl を添加し、そして得られた混合物を30分間反応に供し、その酵素- 結合SATA分子のチオール基を脱保護した。得られたチオール化G6PDH を残ったNH2 OH・HCl 及び非結合SATAからPD-10 ゲル濾過カラム(Pharmacia) を通しての900rpmにおける遠心分離により精製した。
【０１８７】
1:1 のPyd:SMCC誘導体を以下のように調製した。0.1 M PBS, pH 7.5 中の加水分解Pyd(29mM) の激しく攪拌した溶液に、MeOHと0.1M PBS, pH 7.5の1:1 混合物の200 μL 中に1.5 モル当量のsulfo-SMCCを含む溶液をゆっくりと添加した。得られた透明な暗琥珀色の溶液をさらに3 時間攪拌した。-20 ℃において2 日間その反応溶液を保存した後、その溶液を溶出液として10mM PBS, pH 7.5を使用してBioGel P-2(BioRad)のカラムに通過させた。3 つのPyd 含有ピークを326nm におけるUVモニタリングにより観察した: Pyd:SMCC(1:2); Pyd:SMCC(1:1); 及び遊離の( 非誘導体化)Pyd。この1:1 Pyd:SMCC誘導体を含む画分をプールし、そしてその濃度を326nm におけるそのPyd のピリジニウム環の吸収に基づき測定した。
【０１８８】
Pyd-標識されたG6PDH をその1:1 Pyd:SMCC誘導体の1.7mM 溶液(G6PDHの当量当たり12モル当量のPyd:SMCC誘導体) の63μL による1.3mL のチオール化G6PDH 溶液( 上記のように調製されたもの、0.8mg/mL) の添加により調製した。得られた混合物のpHを必要により調整し、そしてその混合物をアルゴン雰囲気下でシールして室温において1 時間反応に供した。
【０１８９】
残りのチオールのいずれをも、メタノール性マレイミド溶液(1 M保存、最終濃度、50mM) との1 時間の反応によりキャップした。このキャッピング段階の後、得られた混合物を暗所内での4 ℃における10 mM PBS, pH 7 中の12-14,000 MWカット- オフ透析チューブ内で一夜透析した。透析後、最終容量を測定し、そしてG6PDH:Pyd の比を280 及び326 nmにおける吸収に基づき計算した。
【０１９０】
実施例17
sulfo-SMCC及びSPDPを使用したピリジノリン-G6PDH結合体の調製
以下のバッファーを調製し、そして脱気した: 115 μM NAD + (pH 7.5 バッファー) を含む0.05 M燐酸ナトリウム, pH 7.5; 115 μM NAD + (pH 6 バッファー) を含む0.10 M燐酸ナトリウム, pH 6.0。
【０１９１】
pH 7.5バッファー中のG6PDH の激しく攪拌した溶液(2mg/mL, 0.5mL) に、蠕動ポンプを使用して1-2 時間にわたり無水エタノール中のSPDPの19mM溶液の14又は47μL(30又は100 モル当量) を添加した。添加が完了した後、得られた溶液を4 ℃におけるpH 6バッファーに対する6-8,000 又は12-14,000 MWカット- オフのチューブ材料を使用して消費的に透析した。透析後、SPDP- 標識酵素を集め、そしてジチオトレイトール(30 分間5-10mM) と反応させ、その2-チオピリジン基を除去し、これによりチオール化酵素を作った。酵素に結合したSPDP分子の数をそのジチオトレイトール反応において放出されたピリジン2-チオンの量(A344 ) を測定することにより決定した。得られたチオール酵素をpH 6バッファーによりPD-10 脱塩カラム上で精製し、そしてその酵素の実際のチオール含量(30 及び100 モル当量のSPDPによりそれぞれ得られたG6PDH の1 分子当たり5 及び10チオール基) をEllman's試薬を使用して測定した。
【０１９２】
Pyd-標識酵素を調製するため、チオール化酵素の溶液(pH 6 バッファー中0.8 mg/mL; 1モル当量) をpH 6バッファー中のPyd-SMCC( 実施例16) の溶液(70 又は160 μL)( それぞれ20及び40当量) に添加し、そして得られた混合物を暗所においてアルゴン雰囲気下4 ℃において3 時間反応に供した。反応後、メタノール中のN-エチル・マレイミドの溶液(1 M) を添加し( 最終マレイミド濃度, 50mM) 、そしてその混合物を1 時間反応に供した。次に混合物を暗所において4 ℃における10 mM PBS, pH 7 に対する12-14,000 MWカット- オフの透析チューブ材料内で消費的に透析した。G6PDH:Pyd の比( それぞれ、1:2 及び1:6)を280 及び326nm における吸収を測定することにより計算した。
【０１９３】
実施例18
EMIT検定
A.  G6PDH の触媒活性の測定
以下の研究において、G6PDH 濃度( 非標識並びに様々なピリジニウム- 標識形態) を必要により希釈し、マイクロタイター・プレート・ウェルへの添加に先立ち、50mM Tris バッファー, pH 7.5中の5 μg/mlの酵素濃度を達成した。96- ウェル・マイクロタイター・プレートのそれぞれのウェルに、100 μL のTrisバッファー及び50μL の逐次希釈酵素(5μg/ml以下) を入れた。対照として、1 列のウェルを酵素無しで調製した。そのウェルのそれぞれに、20μL の基質溶液(50mM Tris, pH 7.5中の250mM D-グルコース-6- ホスフェート及び50 mM NAD + ) を添加し、そして340nm における吸収における変化をV-Max マイクロプレート・リーダー(Molecular Devices Corp. Menlo Park, CA)を使用して、時間の関数として記録した。酵素活性は、典型的にはmOD/分の単において記録された。
【０１９４】
B.  ピリジニウム- 酵素結合体の触媒活性に対する抗体の効果
96- ウェルのマイクロタイター・プレートのウェルに、100 μl の50mM Tris バッファー, pH 7.5、及びそのプレートを横切って逐次的に希釈された、50μL のピリジニウム- 特異的抗体を添加した。次に、それぞれのウェルに、100 μl のピリジニウム- 標識酵素を添加し、抗体の非存在中約200-300mOD/ 分の酵素活性を作り出すのに有効な酵素濃度を達成した。このプレートを室温における選択時間(5-20 分間) の間インキュベートに供した後、( 上記の)50 μl の基質溶液を添加し、50mM G6P及び10mM NAD+ の最終濃度を作り出した。時間の関数としての吸収における変更を次に340nm において測定し、そして様々な濃度の抗体の存在中のパーセント" ダウン・モジュレーション"(触媒活性における減少) を、(100% 活性として定義した) 抗体の非存在中で観察された活性に対して測定した。
【０１９５】
C.  EMIT検定
生来の遊離のピリジノリンの尿レベルを測定するために、ピリジノリン標準(50mM Tris, pH 7.5中の0 〜3000 nM Pyd)又は尿サンプル(Tris, pH 7.5 中で15希釈されたもの) の50μL アリコットをマイクロタイター・プレートのそれぞれのウェルに添加し、その後同一バッファー中で( 先のセクションB 中で測定された) 安定して希釈された抗体の100 μL を添加した。このプレートを選択された時間(2、10、又は30分間) の間室温においてインキュベートした後、( 抗体の非存在中200-300mOD/ 分の活性を作り出すのに有効な)100μl の希釈EDC-カップル・ピリジノリン-G6PDH結合体をそれぞれのウェルに添加し、その後、5 、10、15、又は30分間室温においてインキュベーションを行った。最後のインキュベーション期間の後、( 上記の)60 μL の基質溶液をそれぞれのウェルに添加し、そして先のように340nm においてG6PDH 活性を測定した。様々なPyd 標準により測定された活性を、Pyd 換算曲線を構築するために使用した( 例えば、図10参照) 。この換算曲線を次に、V max Microplate Reader(Molecular Devices Corp.)を装備したSoftmax 2.22ソフトウェアーを使用して、その尿サンプル中のPyd のレベルを測定するために使用した。
【０１９６】
実施例19
抗- ピリジノリン抗血清の調製
免疫感作のためのニュージーランド白ウサギ( 全部で59) を以下の表11中に示すように、免疫感作プロトコールに従って8 群に分割した。免疫感作投与量は、1.0ml のRibiアジュバント(Ribi ImmunoChemical Research, Inc.)と混合された1.0 ml PBS中の、H-Pyd-BSA ( 実施例3A) 、低- ハプテンH-Pyd-BSA 免疫原(H-Pyd-BSAのための実施例3Aにおけるように調製されたが、低いPyd:BSA 化学量論をもつもの) 、又はH-Pyd-KLH(実施例3B) 、の200 μg であった。最初の免疫感作を多V における皮下注射により行い、そしてその後のブースター免疫感作を3 週間間隔の筋中において与えた。抗血清をそれぞれの免疫感作の10日後に集めた。
【０１９７】
【表１２】
2005010174.tif 000015
【０１９８】
採取の間、それぞれの抗血清を実施例8 中に記載した検定形式を使用してPyd 結合アフィニティーについてテストした。簡単に言えば、この血清からの抗-Pyd抗体の、固体支持体上に固定されたPyd への結合を、アルカリ性ホスファターゼ- 標識ヤギ抗- ウサギIgG 抗体試薬を使用して検出した。
【０１９９】
免疫感作された動物を、それらの抗血清が以下のパラグラフ中にさらに定める以下の基準を満足する場合に、保存した: AA<20%、Pyd-ペプチド<10%、力価>5000 、及び全変換シグナルの>10%の0 〜25nM Pydシグナル分離。
【０２００】
実施例8 中に記載した検定形式を使用して測定された、最も強い反応性の抗血清のプロフィールを、以下の表12中に示す。第一列は、ウサギの抗血清が生じた免疫感作プログラムを示す。第二列は、分析のためにプールされた採血(bleeds)を示す。" 力価(titer)"と印された列は、イムノアッセイにおけるPyd-陰性サンプル(Pydが全く存在しない) により1.2 〜1.6 の光学密度の読みを達成するのに必要なそれぞれの抗血清の希釈を示す。"AA"と印された列は、実施例10中に記載したアミノ酸混合物とのそれぞれの抗血清の交差反応性を示す。"Pyd-pep>1000 MW" と印された列は、Pyd-ペプチド(>1000 MW)とのそれぞれの抗血清の交差反応性を示す。最後の列は、全変換シグナルの分数としての0 及び25 nM Pyd サンプルについてのシグナル間の分離を示す。
【０２０１】
【表１３】
2005010174.tif 000016
【０２０２】
表から分かるように、ウサギIII-3 、V-4 、及びVI-8は、0 から25 nM までのN-Pyd のシグナルの有意な変換を示している。高い活性をもつ血清(VI-8)を、本明細書中に記載するN-Pyd 検定における使用のために選択した。
【０２０３】
実施例20
ポリクロナール抗体試薬を使用したイムノアッセイ
以下のイムノアッセイを先の表10及び12中に特徴付けたウサギ・ポリクロナール抗体VI-8、及び実施例8A中に記載したN-Pyd コート・マイクロタイター・プレートを使用して行った。
N-Pyd 標準溶液及び尿サンプルを2 連でテストした。尿サンプルを検定に先立って遠心分離( スピン濾過) によりニトロセルロース膜を通して濾過した。
【０２０４】
サンプル又は標準(25 μl/ウェル) の添加の後、検定バッファー中に20,000倍に希釈した125 μl/ウェルのVI-8抗血清を添加し、そしてこの検定プレートを4 ℃において一夜インキュベートした。このプレートを300 μl/ウェルの洗浄バッファーにより3 回洗浄した後、150 μl/ウェルのヤギ抗- ウサギIgG-アルカリ性ホスファターゼ結合対する( 検定バッファー中1:1000希釈) を添加し、そしてそのプレートを室温において1 時間インキュベートした。次にこのウェルを洗浄バッファーにより3 回洗浄した。
【０２０５】
それぞれのウェルに、150 μL 酵素基質溶液(1mM MgCl 2 を含む1.0 M ジエタノールアミン中の2mg/mLのp-ニトロフェニルホスフェート(Sigma), pH 9.8)を添加した、室温において1 時間のインキュベーション後、50μl の3.0 N NaOHをそれぞれのウェルに添加し、その酵素反応を停止させた。次に405nm における光学密度をVmaxリーダー(Molecular Devices Corp.) により測定した。
【０２０６】
2 連サンプルからの光学密度の読み(405nm) を平均し、そしてN-Pyd 標準からの平均の読みをODの読み対N-Pyd 濃度の標準曲線を構築するために使用した。この曲線からそれぞれのサンプル中の遊離のN-Pyd 架橋濃度を測定した。
【０２０７】
本発明を特定の態様に関して記載してきたが、様々な変更及び修正が本発明から外れることなく行われることができると理解されよう。
【図面の簡単な説明】
【０２０８】
【図１】図1A-1C は、本発明に従う検定の態様の実施における段階について説明している。
【図２】図2 は、44尿サンプル中の、本発明のモノクロナール抗体試薬を使用して測定された生来の遊離のピリジノリン濃度(y軸) 、体HPLCにより測定された全( 加水分解) ピリジノリン濃度、の線形回帰プロットを示している。
【図３】図3 は、本発明に従う検定法を使用して測定されたときの、転移癌患者におけるものと比較した正常患者における生来の遊離のピリジノリンのレベルを示している。
【図４】図4 は、本発明に従う検定法を使用して測定されたときの、重度の骨粗しょう症及び股関節部骨折をもつと診断された患者( 群1)、股関節部骨折をもたない骨粗しょう症をもつと診断された患者( 群2)、及び年齢を合わせた対照患者、における生来の遊離のピリジノリンのレベルを示している。
【０２０９】
【図５】図5 は、本発明に従う検定法を使用して測定されたときの、正常患者( 群1)、代謝性骨疾患症状をもつ患者( 群2)、及び腫瘍学患者、における生来の遊離のデオキシピリジノリンのレベルを示している。
【図６】図6 は、本発明に従う検定法を使用して測定されたときの、エストロゲン治療の前及び1 年後の骨粗しょう症患者における生来の遊離のデオキシピリジノリンのレベルを示している。
【図７】図7A-7B は、本発明に従う検定の他の態様の実施における段階を説明している。
【図８】図8 は、カップリング試薬EDC を介して酵素に結合したピリジノリン又はデオキシピリジノリン分子の数の関数としてのグルコース-6- ホスフェート・デヒドロゲナーゼ(G6PDH) の残存酵素活性を示している。
【図９】図9A及び9Bは、Pyd-特異的モノクロナール抗体(9A)及びPyd 特異的ポリクローナール抗体(9B)の増加濃度の存在中のPyd-標識G6PDH の残存酵素活性のプロットを示している。
【図１０】図10は、図7A-7C 中に示した検定配置を使用して得られた標準曲線を示している。
【図１】
2005010174.tif 000017
【図２】
2005010174.tif 000018
【図３】
2005010174.tif 000019
【図４】
2005010174.tif 000020
【図５】
2005010174.tif 000021
【図６】
2005010174.tif 000022
【図７】
2005010174.tif 000023
【図８】
2005010174.tif 000024
【図９】
2005010174.tif 000025
【図１０】
2005010174.tif 000026